(57)【要約】【課題】放電灯が点灯している、または、していないに関わらず、フィラメント端子の接続不良の検出ができて、しかも、安価で簡単な構成の放電灯点灯装置を提供するものである。【解決手段】直流電源ＶＳと、前記直流電源ＶＳに接続され、出力が前記直流電源ＶＳと絶縁された少なくとも１つのスイッチング素子ＳＷ１、ＳＷ２を含むインバータ回路と、前記インバータ回路の出力に接続されたコンデンサとフィラメントを有する放電灯との直列回路を含むインバータ負荷回路と、前記放電灯の一対のフィラメントはそれぞれ前記インバータ回路とは絶縁された電圧源とでフィラメント電流を流す閉ループ回路を構成し、それぞれ第１あるいは第２のインピーダンス素子を前記閉ループ内に挿入して成る閉ループ回路とを有しているものである。【選択図】　　　　図１
2004039596.tif 000002
【特許請求の範囲】
【請求項１】
直流電源と、前記直流電源に接続され、出力が前記直流電源と絶縁された少なくとも１つのスイッチング素子を含むインバータ回路と、前記インバータ回路の出力に接続されたコンデンサとフィラメントを有する放電灯との直列回路を含むインバータ負荷回路と、前記放電灯の一対のフィラメントはそれぞれ前記インバータ回路とは絶縁された電圧源とでフィラメント電流を流す閉ループ回路を構成し、それぞれ第１あるいは第２のインピーダンス素子を前記閉ループ内に挿入して成る閉ループ回路とを有する放電灯点灯装置において、
前記直流電源を含めたある所定の直流電圧発生源の正極側から前記放電灯の一端のフィラメントの両側に接続された一対のフィラメント端子の内、ある一方側のフィラメント端子を起点に、放電灯のそれぞれのフィラメントを介し、放電灯の他端のフィラメントの両側に接続された一対のフィラメント端子の内、ある一方側のフィラメント端子から前記直流電圧発生源の負極側へと直流電流を流す構成の直流電流ループと直流電流ループに流れる電流を検出する検出手段とから成る第１のフィラメント接続検出回路と、前記放電灯の一端のフィラメントの両側に接続された一対のフィラメント端子の内、他方側のフィラメント端子と前記第１のインピーダンス素子の一端までの間と、前記直流電圧発生源の負極側との間に第１の直流導通素子を設け、同じく前記放電灯の他端のフィラメントの両側に接続された一対のフィラメント端子の内、他方側のフィラメント端子と前記第２のインピーダンス素子の一端までの間と、前記前記直流電圧発生源の負極側との間に第２の直流導通素子を設け、前記第１及び第２の直流導通素子からの出力を検出する検出手段とから成る第２のフィラメント接続検出回路とを構成したことを特徴とする放電灯点灯装置。
【請求項２】
直流電源と、前記直流電源に接続された少なくとも１つのスイッチング素子を含むインバータ回路と、前記インバータ回路の出力に接続されたフィラメントを有する放電灯を含むインバータ負荷回路と、前記直流電源の負極側から前記スイッチング素子を介して前記放電灯と直列に挿入されたコンデンサを少なくとも有し、前記放電灯の一対のフィラメントはそれぞれ前記インバータ回路とは絶縁された電圧源とでフィラメント電流を流す閉ループ回路を構成し、それぞれ第１あるいは第２のインピーダンス素子を前記閉ループ内に挿入して成る閉ループ回路とを有する放電灯点灯装置において、
前記直流電源を含めたある所定の直流電圧発生源の正極側から前記放電灯の一端のフィラメントの両側に接続された一対のフィラメント端子の内、ある一方側のフィラメント端子を起点に、放電灯のそれぞれのフィラメントを介し、放電灯の他端のフィラメントの両側に接続された一対のフィラメント端子の内、ある一方側のフィラメント端子から前記直流電圧発生源の負極側へと直流電流を流す構成の直流電流ループと直流電流ループに流れる電流を検出する検出手段とから成る第１のフィラメント接続検出回路と、前記放電灯の一端のフィラメントの両側に接続された一対のフィラメント端子の内、他方側のフィラメント端子と前記第１のインピーダンス素子の一端までの間と、前記直流電圧発生源の負極側との間に第１の直流導通素子を設け、同じく前記放電灯の他端のフィラメントの両側に接続された一対のフィラメント端子の内、他方側のフィラメント端子と前記第２のインピーダンス素子の一端までの間と、前記前記直流電圧発生源の負極側との間に第２の直流導通素子を設け、前記第１及び第２の直流導通素子からの出力を検出する検出手段とから成る第２のフィラメント接続検出回路とを構成したことを特徴とする放電灯点灯装置。
【請求項３】
直流電源と、前記直流電源に接続された少なくとも１つのスイッチング素子を含むインバータ回路と、前記インバータ回路の出力に接続されたフィラメントを有する放電灯を含むインバータ負荷回路と、前記直流電源の負極側から前記放電灯と直列に挿入されたコンデンサを少なくとも有し、前記放電灯の一対のフィラメントはそれぞれ前記インバータ回路とは絶縁された電圧源とでフィラメント電流を流す閉ループ回路を構成し、それぞれ第１あるいは第２のインピーダンス素子を前記閉ループ内に挿入して成る閉ループ回路とを有する放電灯点灯装置において、
前記直流電源を含めたある所定の直流電圧発生源の正極側から前記放電灯の一端のフィラメントの両側に接続された一対のフィラメント端子の内、ある一方側のフィラメント端子を起点に、放電灯のそれぞれのフィラメントを介し、放電灯の他端のフィラメントの両側に接続された一対のフィラメント端子の内、ある一方側のフィラメント端子から前記直流電圧発生源の負極側へと直流電流を流す構成の直流電流ループと直流電流ループに流れる電流を検出する検出手段とから成る第１のフィラメント接続検出回路と、前記放電灯の一端のフィラメントの両側に接続された一対のフィラメント端子の内、他方側のフィラメント端子と前記第１のインピーダンス素子の一端までの間と、前記直流電圧発生源の負極側との間に第１の直流導通素子を設け、同じく前記放電灯の他端のフィラメントの両側に接続された一対のフィラメント端子の内、他方側のフィラメント端子と前記第２のインピーダンス素子の一端までの間と、前記前記直流電圧発生源の負極側との間に第２の直流導通素子を設け、前記第１及び第２の直流導通素子からの出力を検出する検出手段とから成る第２のフィラメント接続検出回路とを構成したことを特徴とする放電灯点灯装置。
【請求項４】
前記放電灯が複数の直列接続にて構成される場合、前記放電灯の直列接続部の両フィラメントを直列接続して前記インバータ回路と絶縁された電圧源とでフィラメント電流を流す閉ループ回路を構成し、その閉ループ内に第３のインピーダンス素子を挿入し、前記第３のインピーダンス素子の一端から相隣り合うフィラメントまでの間と前記直流電源の負極側との間に第３の直流導通素子を設け、前記第３のインピーダンス素子の他端から相隣り合うフィラメントまでの間と前記直流電源の負極側との間に第４の直流導通素子を設け、前記第２のフィラメント接続検出回路は、前記第１から第４までの直流導通素子からの出力を検出する検出手段とから成るようにしたことを特徴とする請求項１ないし請求項３いずれか記載の放電灯点灯装置。
【請求項５】
前記第１のフィラメント検出回路内の直流電流ループ回路において、前記直流電圧発生源の正極側から接続される、前記放電灯の一端のフィラメントの両側に接続される一対のフィラメント端子の内のある一方側のフィラメント端子と、前記直流電圧発生源の負極側から接続される、前記放電灯の他端のフィラメントの両側に接続された一対のフィラメント端子の内のある一方側のフィラメント端子は、その少なくとも１つが非インバータ回路出力側に接続されていることを特徴とする請求項１ないし請求項４いずれか記載の放電灯点灯装置。
【請求項６】
前記第１ないし第２あるいは第３のインピーダンス素子はコンデンサであることを特徴とする請求項１ないし請求項５いずれか記載の放電灯点灯装置。
【請求項７】
前記フィラメントと閉ループを構成する電圧源はトランスあるいはインダクタにより構成されることを特徴とする請求項１ないし請求項６いずれか記載の放電灯点灯装置。
【請求項８】
前記第２のフィラメント接続検出回路内の直流導通素子は抵抗で構成されることを特徴とする請求項１ないし請求項７いずれか記載の放電灯点灯装置。
【請求項９】
前記第２のフィラメント接続検出回路内の直流導通素子は抵抗とダイオードとの直列回路で構成されることを特徴とする請求項１ないし請求項７いずれか記載の放電灯点灯装置。
【請求項１０】
前記第２のフィラメント接続検出回路は、それぞれの直流導通素子の出力を検出する各々の検出手段よりなることを特徴とする請求項１ないし請求項９いずれか記載の放電灯点灯装置。
【請求項１１】
前記第２のフィラメント接続検出回路にて前記第１及び第２の直流導通素子、あるいは複数灯の場合は第３及び第４の直流導通素子からの各検出出力とは各直流導通素子の発生電圧のことであり、前記第１及び第２（あるいは第３及び第４をも含む）の直流導通素子からの出力を検出する検出手段には、それぞれに対応する第１及び第２（あるいは第３及び第４をも含む）の検出基準値を設け、前記各直流導通素子の発生電圧の少なくとも１つが前記各検出基準値を下回った場合に、フィラメント接続に異常があると判断するようにしたことを特徴とする請求項１０記載の放電灯点灯装置。
【請求項１２】
前記第２のフィラメント接続検出回路内の検出出力信号は前記放電灯が点灯時のみ有効とし、点灯時以外の期間は検出出力を無効とする手段を付加したことを特徴とする請求項１ないし請求項１１いずれか記載の放電灯点灯装置。
【請求項１３】
前記点灯時以外の期間とは前記インバータ回路が動作停止している期間を含むことを特徴とする請求項１２記載の放電灯点灯装置。
【請求項１４】
前記放電灯点灯装置は、前記放電灯をフィラメント予熱モードから点灯モードとなるように前記インバータ回路の出力を制御する予熱制御部を具備する制御回路を有し、前記点灯時以外の期間とは前記フィラメント予熱モード時を含むことを特徴とする請求項１２または請求項１３記載の放電灯点灯装置。
【請求項１５】
前記放電灯点灯装置は、前記放電灯の点灯出力調光機能を有し、前記調光時には放電灯調光度合いに応じて前記第２のフィラメント接続検出回路内の前記検出基準値を変化させる手段を付加したことを特徴とする請求項１ないし請求項１４いずれか記載の放電灯点灯装置。
【請求項１６】
前記第２のフィラメント接続検出回路内の前記検出基準値は、前記直流電源の電圧値変化に応じて変化させる機能を付加したことを特徴とする請求項１ないし請求項１５いずれか記載の放電灯点灯装置。
【請求項１７】
前記第２のフィラメント接続検出回路内の前記検出基準値は、放電灯の周囲温度変化に応じて変化させる機能を付加したことを特徴とする請求項１ないし請求項１６いずれか記載の放電灯点灯装置。
【請求項１８】
前記第２のフィラメント接続検出回路による検出は各直流導通素子からの検出出力値を演算処理しフィラメント接続有無を判別するようにしたことを特徴とする請求項１ないし請求項１７いずれか記載の放電灯点灯装置。
【発明の詳細な説明】
【０００１】
【発明の属する技術分野】
本発明は、放電灯点灯装置に関し、さらに詳しくは、放電灯を高周波で点灯させる放電灯点灯装置に関するものである。
【０００２】
【従来の技術】
従来の放電灯点灯装置としては、図２３に示した回路図のようなものがある。この放電灯点灯装置では、直流電源ＶＳにインバータ回路１が接続されている。インバータ回路１はスイッチング素子ＳＷ１，ＳＷ２を備えており、このＳＷ１，ＳＷ２の直列回路に入力直流電圧が印加される。一方のスイッチング素子ＳＷ１と並列に直流カット用のコンデンサＣ４、トランスＴ２の１次巻線ｎ１、インダクタンス素子Ｌ１の直列回路が接続されている。インバータ回路の出力であるトランスＴ２の二次巻線ｎ２の両端には直流カット用のコンデンサＣ１と共振用コンデンサＣ２の直列回路が接続され、Ｃ２両端には負荷である放電灯Ｌａ１のフィラメント端子Ｄと放電灯Ｌａ２のフィラメント端子Ｆがそれぞれ接続され、インバータ負荷回路を構成している。
【０００３】
また、Ｔ２の二次巻線ｎ３、ｎ５の両端には、それぞれ直流カット用コンデンサＣ１５とＬａ１の一端のフィラメントｆ１の直列回路、直流カット用コンデンサＣ２５とＬａ２の一端のフィラメントｆ４の直列回路が接続されており、同じくＴ２の二次巻線ｎ４の両端には、直流カット用コンデンサＣ５、Ｌａ１の他端のフィラメントｆ２、Ｌａ２の他端のフィラメントｆ３の直列回路が接続され、以上フィラメント電流を流すための閉ループが構成されている。
【０００４】
また、直流電源ＶＳの出力両端には、ＶＳの正極側から抵抗Ｒ３０を介してＣ１と放電灯Ｌａ１のフィラメント端子Ｄとの接続点に接続され、ｆ１、フィラメント端子Ｅ、抵抗Ｒ４０、フィラメント端子Ｃ、ｆ２、フィラメント端子Ａ１、フィラメント端子Ａ２、ｆ３、フィラメント端子Ｂ、抵抗Ｒ４１、フィラメント端子Ｇ、ｆ４、フィラメント端子Ｆを介し、抵抗Ｒ３１を経て、抵抗Ｒ３２及びコンデンサＣ３の並列回路が接続される。また、Ｒ３０とＲ３１の接続点は検出信号線として、第１のフィラメント接続検出部に接続されている。そして以上から成る回路で第１のフィラメント接続検出回路を構成している。
【０００５】
まず、最初にインバータの動作について説明する。インバータ回路１のＳＷ１，ＳＷ２が交互に高周波でオン、オフすると共振用コンデンサＣ２の両端には、インダクタＬ１と共振用コンデンサＣ２から成る共振回路と、インバータ回路１の発振動作周波数により共振電圧が発生する。当然ながら、インバータ回路１の発振動作周波数に応じて共振電圧は変化する為、発振動作周波数を予熱モード時、始動モード時及び点灯モード時と変化させることにより放電灯Ｌａ１及びＬａ２を始動・点灯させることができる。
【０００６】
次に、第１のフィラメント接続検出回路の動作を説明する。放電灯Ｌａ１及びＬａ２のフィラメント端子が全て接続されている、すなわち、放電灯Ｌａ１及びＬａ２が装着されている場合、直流電源ＶＳの正極側から、抵抗Ｒ３０、フィラメント端子Ｄ、ｆ１、フィラメント端子Ｅ、抵抗Ｒ４０　、フィラメント端子Ｃ　、ｆ２、フィラメント端子Ａ１　、フィラメント端子Ａ２、ｆ３、フィラメント端子Ｂ、抵抗Ｒ４１、フィラメント端子Ｇ、ｆ４、フィラメント端子Ｆ、抵抗Ｒ３１、抵抗Ｒ３２とコンデンサＣ３の並列回路を介して直流電源ＶＳの負極側へと直流電流が流れることによりコンデンサＣ３が充電され、コンデンサＣ３の両端に電圧が発生し出力”Ｈｉｇｈ”となり、第１のフィラメント接続検出部は”放電灯が装着されている”と判断する。
【０００７】
一方、放電灯が全く装着されていない、あるいは、放電灯の片側が装着されていない、またあるいは、放電灯のフィラメント端子の少なくとも１つが接続不良の場合においては、この直流電流が流れるループが遮断される為、コンデンサＣ３の両端に電圧が発生せず出力”Ｌｏｗ”となり、第１のフィラメント接続検出部は”放電灯が装着されていない”と判断する。
【０００８】
以上のように、放電灯の点灯以前の状態においては、ランプの装着、未装着を第１のフィラメント接続検出回路により検出し、ランプ未装着時はインバータ回路１の発振を停止あるいは出力抑制させる等の制御を行なうことができるため、放電灯未装着時のインバータ回路発振による部品のストレスを防止することができる。
【０００９】
【発明が解決しようとする課題】
しかしながら、このような従来の放電灯点灯装置においては、放電灯が点灯した状態でのフィラメント端子の接続（接触）不良の検出が完全にできないという課題がある。
【００１０】
放電灯が点灯する以前（不点灯状態又は予熱状態）においては、放電灯のインピーダンスが無限大であるため、いずれのフィラメント端子が接続不良になっても上記第１のフィラメント接続検出部のコンデンサＣ３を充電する経路はなく、フィラメント端子接続不良を検出してインバータ回路１を発振停止させる等制御することが可能であるが、放電灯が点灯した後にフィラメント端子Ｅ，Ｃ，Ｂ及びＧで接続不良が生じた場合は、放電灯が低抵抗成分であり、放電灯を介して直流電流が流れるために、第１のフィラメント接続検出部のコンデンサＣ３の充電は継続され、フィラメント端子接続不良を検出することができない。つまり、フィラメント端子Ｅ（又はＣ，Ｂ，あるいはＧ）が接続不良になっても、直流電源ＶＳの正極側から、抵抗Ｒ３０　、フィラメント端子Ｄ、放電灯Ｌａ１、フィラメント端子Ａ１、フィラメント端子Ａ２、放電灯Ｌａ２、フィラメント端子Ｆ、抵抗Ｒ３１、抵抗Ｒ３２とコンデンサＣ３の並列回路を介して、直流電圧ＶＳの負極側へと直流電流が流れてしまい、コンデンサＣ３を充電してしまって、フィラメント端子の接続不良が検出できない。
【００１１】
以上の検出不具合は、実際の照明器具において考えてみると、放電灯が点灯中に放電灯を装着するソケットとフィラメント端子との接触不良、あるいは、ソケットと放電灯点灯装置を結ぶ内部接続線の接続不良等が発生した場合に接続部でのアーク放電による発熱といった問題が生じてしまう。
【００１２】
そこで、この問題を解決する手段が、特開平１０−１４４４８５号（特願平８−３０５３３４号）として提案されている。図２４は、この放電灯点灯装置の回路構成を示したものであり、先の従来例で述べた図２３の放電灯点灯装置の回路構成との比較を容易にする為に、特開平１０−１４４４８５号に記載されている図１（実施例１）、図５（実施例３）及び図９（実施例７）の回路構成を合成したものとなっている。
【００１３】
以下、この回路構成について述べる。先の従来例で述べた図２３の回路構成と異なる点は、フィラメント接続検出回路の構成である。
【００１４】
まず、直流電源ＶＳの正極側から抵抗Ｒ３０をＴ２の二次巻線ｎ２の一端とＣ１との接続点に接続する。また、ｎ２の他端と直流電源ＶＳの負極側との間に抵抗Ｒ３０のみを接続し、図２３のＲ３２及びＣ３は削除する。
【００１５】
次に、Ｔ２の二次巻線ｎ４の一端とＣ５との接続点とＶＳの負極側との間に、第１の直流導通素子としてＲ２２とＲ１０との直列回路を接続する。また、Ｃ７は平滑用としてＲ１０に並列接続する。
【００１６】
さらに、フィラメント端子ＢとＣ５との接続点とＶＳの負極側との間には第２の直流導通素子としてＲ２３とＲ２４との直列回路を接続する。またＣ８は平滑用としてＲ２４に並列接続する。第３の直流導通素子としてはＣ１５とフィラメント端子Ｅとの接続点とＶＳの負極側との間に、Ｒ３３、Ｒ３５の直列回路を接続し、平滑用としてＣ１８をＲ３５両端に接続する。第４の直流導通素子としてはＣ１５とＴ２の二次巻線ｎ３の一端との接続点とＶＳの負極側との間に、Ｒ３２、Ｒ３４の直列回路を接続し、平滑用としてＣ１７をＲ３４両端に接続する。
【００１７】
最後に、第５の直流導通素子としてはＣ２５とフィラメント端子Ｇとの接続点とＶＳの負極側との間に、Ｒ４３、Ｒ４４の直列回路を接続し、平滑用としてＣ２８をＲ４４両端に接続する。
【００１８】
以上が先の従来例で述べた図２３との相違であり、上記で構成されるフィラメント接続検出回路は先の従来例で述べた第１のフィラメント接続検出回路と区別する為に、第２のフィラメント接続検出回路と呼ぶことにする。また、図２４のその他の構成については図２３と同じであることから、ここでは図２４と同じ構成要素には同じ記号、番号を付し説明は省略する。
【００１９】
次に、回路動作について述べる。
【００２０】
まず、インバータ回路及び放電灯を点灯させるまでの動作であるが、これは図２３と同じである為省略とし、以下ではフィラメント端子Ａ１，Ａ２及びＢ〜Ｇのいずれかが点灯中に接触不良となった場合の検出原理について述べる。
【００２１】
まず、フィラメント端子Ｆには直流電源電圧ＶＳを抵抗分圧した直流成分を持つ電圧が現れている。また放電灯Ｌａ１及びＬａ２も点灯時には数百オーム程度の低抵抗と考えることができる。更に放電灯フィラメントの抵抗値は約数〜１０オーム程度であり、ここでは無視して考える。ここで全てのフィラメント端子が正常に接続されて点灯している場合には、放電灯の等価抵抗が低抵抗である為に、点▲１▼〜▲６▼の直流電圧成分はほぼフィラメント端子Ｆの直流電圧成分と同じであり、検出出力である点▲１▼’〜▲６▼’の電圧は全て”Ｈｉｇｈ”レベルにすることができる。
【００２２】
次に、フィラメント端子Ａ１が接触不良になった場合、点▲１▼の電圧（≒フィラメント端子Ｃ電圧）及び点▲２▼の電圧（＝フィラメント端子Ｂ電圧）について考えてみると、以下の数式となる。
・点▲１▼電圧＝（Ｒ２２＋Ｒ１０）／（Ｒ４０＋Ｒ２２＋Ｒ１０）×（フィラメント端子Ｆの電圧）
・点▲２▼電圧＝（フィラメント端子Ｆの電圧）
このことは点▲１▼電圧＜点▲２▼電圧であることを意味し、この時に点▲１▼’電圧は”Ｌｏｗ”レベル、点▲２▼’電圧は”Ｈｉｇｈ”レベルとなる。
【００２３】
次に、フィラメント端子Ａ２が接触不良になった場合、
・点▲１▼電圧＝（Ｒ２２＋Ｒ１０）／（Ｒ４１＋Ｒ２２＋Ｒ１０）×（フィラメント端子Ｆの電圧）
・点▲２▼電圧＝（フィラメント端子Ｆの電圧）
となり、点▲１▼’電圧は”Ｌｏｗ”レベル、点▲２▼’電圧は”Ｈｉｇｈ”レベルとなる。
【００２４】
次に、フィラメント端子Ｂが接触不良になった場合、点▲１▼電圧（≒フィラメント端子Ｃ電圧≒フィラメント端子Ａ１電圧＝フィラメント端子Ａ２電圧）が直流成分を持っている為、Ｃ５で直流成分がカットされ、点▲２▼電圧は放電灯Ｌａ１の両端電圧（振動電圧）のみとなる。つまり、点▲１▼’電圧は”Ｈｉｇｈ”レベル、点▲２▼’電圧は”Ｌｏｗ”レベルになる。
【００２５】
次に、フィラメント端子Ｃが接触不良になった場合、点▲２▼電圧（＝フィラメント端子Ｅ電圧）が直流成分を持っている為、Ｃ５で直流成分がカットされ、点▲１▼電圧は放電灯Ｌａ１の両端電圧（振動電圧）のみとなる。つまり、点▲１▼’電圧は”Ｌｏｗ”レベル、点▲２▼’電圧は”Ｈｉｇｈ”レベルになる。
【００２６】
次に、フィラメント端子Ｄが接触不良になった場合、点▲３▼電圧（＝フィラメント端子Ｅ電圧）が直流成分を持っている為、Ｃ１５で直流成分がカットされ、点▲４▼電圧は放電灯Ｌａ１，Ｌａ２の両端電圧のみとなる。つまり、点▲３▼’電圧が”Ｈｉｇｈ”レベル、点▲４▼’電圧は”Ｌｏｗ”レベルになる。
【００２７】
次に、フィラメント端子Ｅが接触不良になった場合、
・点▲３▼電圧＝（Ｒ３３＋Ｒ３５）／（Ｒ４０＋Ｒ３３＋Ｒ３５）×（フィラメント端子Ｆの電圧）
・点▲４▼電圧＝（フィラメント端子Ｆの電圧）
となり、点▲３▼’電圧は”Ｌｏｗ”レベル、点▲４▼’電圧は”Ｈｉｇｈ”レベルとなる。
【００２８】
次に、フィラメント端子Ｆが接触不良になった場合、点▲６▼電圧が直流成分を持っている為、Ｃ２５で直流成分がカットされ、点▲５▼電圧は放電灯Ｌａ１，Ｌａ２の両端電圧（振動電圧）のみとなる。つまり、点▲５▼’電圧が”Ｌｏｗ”レベル、点▲６▼’電圧は”Ｈｉｇｈ”レベルになる。
【００２９】
最後に、フィラメント端子Ｇが接触不良になった場合、
・点▲５▼電圧＝（Ｒ４３＋Ｒ４４）／（Ｒ４１＋Ｒ４３＋Ｒ４４）×（フィラメント端子Ｆの電圧）
・点▲６▼電圧＝（フィラメント端子Ｆの電圧）
となり、点▲５▼’電圧は”Ｌｏｗ”レベル、点▲６▼’電圧は”Ｈｉｇｈ”レベルとなる。
【００３０】
以上のように、接触不良が点灯中に発生した場合には、点▲１▼電圧と点▲２▼電圧、点▲３▼電圧と点▲４▼電圧、点▲５▼電圧のいずれかが”Ｌｏｗ”レベルになる為、この出力を利用して検出することが可能である。
【００３１】
また、本従来例の回路構成では放電灯が点灯していない予熱モード時であっても、Ｒ４０、Ｒ４１が放電灯と並列に接続されている為にフィラメント端子の接続検出が可能である。つまり、フィラメント端子Ａ１あるいは端子Ｃが接触不良の場合は、点▲１▼’電圧が”Ｌｏｗ”レベル、点▲２▼’電圧が”Ｈｉｇｈ”レベルになる。フィラメント端子Ａ２あるいは端子Ｂが接触不良の場合は、点▲１▼’電圧が”Ｈｉｇｈ”レベル、点▲２▼’電圧が”Ｌｏｗ”レベルになる。
【００３２】
そして、フィラメント端子Ｄあるいは端子Ｅが接触不良の場合は、点▲３▼’電圧が”Ｈｉｇｈ”レベル、点▲４▼’電圧が”Ｌｏｗ”レベルとなる。
【００３３】
最後に、フィラメント端子Ｆあるいは端子Ｇが接触不良の場合は、点▲５▼’電圧が”Ｌｏｗ”レベル、点▲６▼’電圧が”Ｈｉｇｈ”レベルとなる。
【００３４】
以上、本従来例においては、放電灯が点灯していない予熱モード、及び点灯モードのどちらにおいても、全てのフィラメント端子の接続不良が検出可能である。
【００３５】
しかしながら、このような従来の放電灯点灯装置の構成においては、トランスＴ２の２次側出力（ｎ２巻線）に直流電源ＶＳの電圧を印加する為の抵抗Ｒ３０、Ｒ３１の部品を要し、且つ予熱時のフィラメント接続を検出する為の抵抗Ｒ４０、Ｒ４１を要し、更に、Ｃ５、Ｃ１５、Ｃ２５両端にそれぞれ直流導通素子と、直流導通素子の電圧（点▲１▼〜▲６▼電圧）を検出する検出部が必要であり、部品点数が多く回路が複雑でコストアップにもなるものであった。
【００３６】
本発明は、上述の事実に鑑みてなされたものであって、その目的とするところは、放電灯が点灯している、または、していないに関わらず、フィラメント端子の接続不良の検出ができて、しかも、安価で簡単な構成の放電灯点灯装置を提供するものである。
【００３７】
【課題を解決するための手段】
本発明の請求項１に係る放電灯点灯装置は、直流電源と、前記直流電源に接続され、出力が前記直流電源と絶縁された少なくとも１つのスイッチング素子を含むインバータ回路と、前記インバータ回路の出力に接続されたコンデンサとフィラメントを有する放電灯との直列回路を含むインバータ負荷回路と、前記放電灯の一対のフィラメントはそれぞれ前記インバータ回路とは絶縁された電圧源とでフィラメント電流を流す閉ループ回路を構成し、それぞれ第１あるいは第２のインピーダンス素子を前記閉ループ内に挿入して成る閉ループ回路とを有する放電灯点灯装置において、前記直流電源を含めたある所定の直流電圧発生源の正極側から前記放電灯の一端のフィラメントの両側に接続された一対のフィラメント端子の内、ある一方側のフィラメント端子を起点に、放電灯のそれぞれのフィラメントを介し、放電灯の他端のフィラメントの両側に接続された一対のフィラメント端子の内、ある一方側のフィラメント端子から前記直流電圧発生源の負極側へと直流電流を流す構成の直流電流ループと直流電流ループに流れる電流を検出する検出手段とから成る第１のフィラメント接続検出回路と、前記放電灯の一端のフィラメントの両側に接続された一対のフィラメント端子の内、他方側のフィラメント端子と前記第１のインピーダンス素子の一端までの間と、前記直流電圧発生源の負極側との間に第１の直流導通素子を設け、同じく前記放電灯の他端のフィラメントの両側に接続された一対のフィラメント端子の内、他方側のフィラメント端子と前記第２のインピーダンス素子の一端までの間と、前記前記直流電圧発生源の負極側との間に第２の直流導通素子を設け、前記第１及び第２の直流導通素子からの出力を検出する検出手段とから成る第２のフィラメント接続検出回路とを構成したことを特徴とする。
【００３８】
本発明の請求項２に係る放電灯点灯装置は、直流電源と、前記直流電源に接続された少なくとも１つのスイッチング素子を含むインバータ回路と、前記インバータ回路の出力に接続されたフィラメントを有する放電灯を含むインバータ負荷回路と、前記直流電源の負極側から前記スイッチング素子を介して前記放電灯と直列に挿入されたコンデンサを少なくとも有し、前記放電灯の一対のフィラメントはそれぞれ前記インバータ回路とは絶縁された電圧源とでフィラメント電流を流す閉ループ回路を構成し、それぞれ第１あるいは第２のインピーダンス素子を前記閉ループ内に挿入して成る閉ループ回路とを有する放電灯点灯装置において、前記直流電源を含めたある所定の直流電圧発生源の正極側から前記放電灯の一端のフィラメントの両側に接続された一対のフィラメント端子の内、ある一方側のフィラメント端子を起点に、放電灯のそれぞれのフィラメントを介し、放電灯の他端のフィラメントの両側に接続された一対のフィラメント端子の内、ある一方側のフィラメント端子から前記直流電圧発生源の負極側へと直流電流を流す構成の直流電流ループと直流電流ループに流れる電流を検出する検出手段とから成る第１のフィラメント接続検出回路と、前記放電灯の一端のフィラメントの両側に接続された一対のフィラメント端子の内、他方側のフィラメント端子と前記第１のインピーダンス素子の一端までの間と、前記直流電圧発生源の負極側との間に第１の直流導通素子を設け、同じく前記放電灯の他端のフィラメントの両側に接続された一対のフィラメント端子の内、他方側のフィラメント端子と前記第２のインピーダンス素子の一端までの間と、前記前記直流電圧発生源の負極側との間に第２の直流導通素子を設け、前記第１及び第２の直流導通素子からの出力を検出する検出手段とから成る第２のフィラメント接続検出回路とを構成したことを特徴とする。
【００３９】
本発明の請求項３に係る放電灯点灯装置は、直流電源と、前記直流電源に接続された少なくとも１つのスイッチング素子を含むインバータ回路と、前記インバータ回路の出力に接続されたフィラメントを有する放電灯を含むインバータ負荷回路と、前記直流電源の負極側から前記放電灯と直列に挿入されたコンデンサを少なくとも有し、前記放電灯の一対のフィラメントはそれぞれ前記インバータ回路とは絶縁された電圧源とでフィラメント電流を流す閉ループ回路を構成し、それぞれ第１あるいは第２のインピーダンス素子を前記閉ループ内に挿入して成る閉ループ回路とを有する放電灯点灯装置において、前記直流電源を含めたある所定の直流電圧発生源の正極側から前記放電灯の一端のフィラメントの両側に接続された一対のフィラメント端子の内、ある一方側のフィラメント端子を起点に、放電灯のそれぞれのフィラメントを介し、放電灯の他端のフィラメントの両側に接続された一対のフィラメント端子の内、ある一方側のフィラメント端子から前記直流電圧発生源の負極側へと直流電流を流す構成の直流電流ループと直流電流ループに流れる電流を検出する検出手段とから成る第１のフィラメント接続検出回路と、前記放電灯の一端のフィラメントの両側に接続された一対のフィラメント端子の内、他方側のフィラメント端子と前記第１のインピーダンス素子の一端までの間と、前記直流電圧発生源の負極側との間に第１の直流導通素子を設け、同じく前記放電灯の他端のフィラメントの両側に接続された一対のフィラメント端子の内、他方側のフィラメント端子と前記第２のインピーダンス素子の一端までの間と、前記前記直流電圧発生源の負極側との間に第２の直流導通素子を設け、前記第１及び第２の直流導通素子からの出力を検出する検出手段とから成る第２のフィラメント接続検出回路とを構成したことを特徴とする。
【００４０】
本発明の請求項４に係る放電灯点灯装置は、前記放電灯が複数の直列接続にて構成される場合、前記放電灯の直列接続部の両フィラメントを直列接続して前記インバータ回路と絶縁された電圧源とでフィラメント電流を流す閉ループ回路を構成し、その閉ループ内に第３のインピーダンス素子を挿入し、前記第３のインピーダンス素子の一端から相隣り合うフィラメントまでの間と前記直流電源の負極側との間に第３の直流導通素子を設け、前記第３のインピーダンス素子の他端から相隣り合うフィラメントまでの間と前記直流電源の負極側との間に第４の直流導通素子を設け、前記第２のフィラメント接続検出回路は、前記第１から第４までの直流導通素子からの出力を検出する検出手段とから成るようにしたことを特徴とする。
【００４１】
本発明の請求項５に係る放電灯点灯装置は、前記第１のフィラメント検出回路内の直流電流ループ回路において、前記直流電圧発生源の正極側から接続される、前記放電灯の一端のフィラメントの両側に接続される一対のフィラメント端子の内のある一方側のフィラメント端子と、前記直流電圧発生源の負極側から接続される、前記放電灯の他端のフィラメントの両側に接続された一対のフィラメント端子の内のある一方側のフィラメント端子は、その少なくとも１つが非インバータ回路出力側に接続されていることを特徴とする。
【００４２】
本発明の請求項６に係る放電灯点灯装置は、前記第１ないし第２あるいは第３のインピーダンス素子はコンデンサであることを特徴とする。
【００４３】
本発明の請求項７に係る放電灯点灯装置は、前記フィラメントと閉ループを構成する電圧源はトランスあるいはインダクタにより構成されることを特徴とする。
【００４４】
本発明の請求項８に係る放電灯点灯装置は、前記第２のフィラメント接続検出回路内の直流導通素子は抵抗で構成されることを特徴とする。
【００４５】
本発明の請求項９に係る放電灯点灯装置は、前記第２のフィラメント接続検出回路内の直流導通素子は抵抗とダイオードとの直列回路で構成されることを特徴とする。
【００４６】
本発明の請求項１０に係る放電灯点灯装置は、前記第２のフィラメント接続検出回路は、それぞれの直流導通素子の出力を検出する各々の検出手段よりなることを特徴とする。
【００４７】
本発明の請求項１１に係る放電灯点灯装置は、前記第２のフィラメント接続検出回路にて前記第１及び第２の直流導通素子、あるいは複数灯の場合は第３及び第４の直流導通素子からの各検出出力とは各直流導通素子の発生電圧のことであり、前記第１及び第２（あるいは第３及び第４をも含む）の直流導通素子からの出力を検出する検出手段には、それぞれに対応する第１及び第２（あるいは第３及び第４をも含む）の検出基準値を設け、前記各直流導通素子の発生電圧の少なくとも１つが前記各検出基準値を下回った場合に、フィラメント接続に異常があると判断するようにしたことを特徴とする。
【００４８】
本発明の請求項１２に係る放電灯点灯装置は、前記第２のフィラメント接続検出回路内の検出出力信号は前記放電灯が点灯時のみ有効とし、点灯時以外の期間は検出出力を無効とする手段を付加したことを特徴とする。
【００４９】
本発明の請求項１３に係る放電灯点灯装置は、前記点灯時以外の期間とは前記インバータ回路が動作停止している期間を含むことを特徴とする。
【００５０】
本発明の請求項１４に係る放電灯点灯装置は、前記放電灯点灯装置は、前記放電灯をフィラメント予熱モードから点灯モードとなるように前記インバータ回路の出力を制御する予熱制御部を具備する制御回路を有し、前記点灯時以外の期間とは前記フィラメント予熱モード時を含むことを特徴とする。
【００５１】
本発明の請求項１５に係る放電灯点灯装置は、前記放電灯点灯装置は、前記放電灯の点灯出力調光機能を有し、前記調光時には放電灯調光度合いに応じて前記第２のフィラメント接続検出回路内の前記検出基準値を変化させる手段を付加したことを特徴とする。
【００５２】
本発明の請求項１６に係る放電灯点灯装置は、前記第２のフィラメント接続検出回路内の前記検出基準値は、前記直流電源の電圧値変化に応じて変化させる機能を付加したことを特徴とする。
【００５３】
本発明の請求項１７に係る放電灯点灯装置は、前記第２のフィラメント接続検出回路内の前記検出基準値は、放電灯の周囲温度変化に応じて変化させる機能を付加したことを特徴とする。
【００５４】
本発明の請求項１８に係る放電灯点灯装置は、前記第２のフィラメント接続検出回路による検出は各直流導通素子からの検出出力値を演算処理しフィラメント接続有無を判別するようにしたことを特徴とする。
【００５５】
【発明の実施の形態】
以下、本発明の実施形態について図面に基づいて詳しく説明する。
【００５６】
（第１の実施形態）
この第１の実施形態は、請求項１，４，６，７，８に対応しているものであり、絶縁型ＩＮＶ、２灯、ＤＣループ回路、第２のフィラメント検出をなすものである。本発明の第１の実施形態の回路図を図１に示す。そして、本実施形態回路（図１）での直流電源回路例を図２に示す。また、本実施形態回路（図１）でのインバータ負荷回路の共振カーブを図３に示す。さらに、本実施形態回路（図１）での放電灯周りの等価回路を図４ないし図５に示す。そして、本実施形態回路（図１）での各フィラメント外れ時の等価回路を図６ないし図１０に示す。
【００５７】
まず、この第１の実施形態の回路構成を説明する。
【００５８】
先の従来例として示した回路図（図２３）から以下の点が相違、あるいは、追加されている。
【００５９】
まず、本案の回路構成を分かりやすくする為に、図２３の回路図に記載の部品記号名（部品番号）を次のように変更している。Ｒ３０はＲ１に、Ｒ４０はＲ２に、Ｒ４１はＲ３に、Ｒ３１はＲ４に、Ｒ３２はＲ５に、それぞれ変更している。また、図２３に記載のその他の部品については全く同じである。
【００６０】
つぎに、以下の回路（部品）が追加される。
【００６１】
まず、第１の直流導通素子としてはＣ１５とフィラメント端子Ｅとの接続点とＶＳの負極側との間に、Ｒ１１、Ｒ１２の直列回路を接続し、平滑用としてＣ１１をＲ１２両端に接続する。（図２４の第３直流導通素子に相当）
更に、第２の直流導通素子としてはＣ２５とフィラメント端子Ｇとの接続点とＶＳの負極側との間に、Ｒ２１、Ｒ２２の直列回路を接続し、平滑用としてＣ２１をＲ２２両端に接続する。（図２４の第５直流導通素子に相当）
第３の直流導通素子としては、Ｔ２の二次巻線ｎ４の一端とＣ５との接続点とＶＳの負極側との間に、Ｒ３１、Ｒ３２の直列回路を接続し、平滑用としてＣ３１をＲ３２両端に接続する。（図２４の第１直流導通素子に相当）
最後に、第４の直流導通素子としてはフィラメント端子ＢとＣ５との接続点とＶＳの負極側との間に、Ｒ４１、Ｒ４２の直列回路を接続し、平滑用としてＣ４１をＲ４２両端に接続する。（図２４の第２直流導通素子に相当）
以上が先の従来例で述べた図２３の回路図からの追加回路および追加部品であり、上記から構成される回路は図２４で述べた第２のフィラメント接続検出回路に相当する。
【００６２】
次に、回路動作について述べる。
【００６３】
まず、先の従来例でも簡単に述べたが、インバータ回路及び点灯主回路及び予熱回路の動作について説明する。図３は交流電源ＶＳが投入されてから放電灯が点灯するまでの主回路の共振カーブを示したものである。尚、実線Ｘ１は放電灯の不点灯時のＣ２両端電圧の変化を示し、実線Ｘ２は放電灯点灯後の放電灯の放電電流特性を示している。
【００６４】
交流電源ＶＳが投入されると、インバータ回路内のスイッチング素子ＳＷ１，ＳＷ２は、まず先行予熱モードとしてある所定時間周波数ｆａにて交互にオンオフ動作する。この時Ｃ２両端電圧Ｖｃ２（＝放電灯両端電圧ＶＬＡ）としては、Ｌ１及びＣ２にて決定される無負荷時共振カーブ上の点ａの電圧が印加される。（ｆ０はＬ１、Ｃ２とで決まる共振周波数）と同時にフィラメントｆ１〜ｆ４にはトランスＴ２の２次巻線ｎ３〜ｎ５（予熱用高周波電圧源）よりそれぞれフィラメント電流が供給され先行予熱される。
【００６５】
次に、放電灯を始動点灯させる為に、インバータ回路内のＳＷ１，ＳＷ２は周波数ｆｂにて動作し、放電灯両端電圧（ＶＬＡ）としては、点ｂの電圧が印加される。そして放電灯が点灯すると、共振要素として放電灯の放電抵抗成分がＬＣ（Ｌ１とＣ２）共振系に加わる為、共振カーブが図３中のＸ２に変化し、点ｂ’へ移行する。
【００６６】
最後に、所望の点灯出力を得る為に、インバータ回路１内のＳＷ１，ＳＷ２は周波数ｆｃにて動作し、放電灯は点灯を維持する。
【００６７】
次に、フィラメント端子接続検出回路の動作について以下に説明する。
【００６８】
まず、第１のフィラメント接続検出回路についてであるが、これについては先の従来例で説明した内容と全く同じであり、動作説明は省略するが、予熱モード時及び点灯モード時でのフィラメント端子の接続有無の検出可否は以下の通りである。
【００６９】
・予熱モード時（放電灯が点灯していない時）：フィラメント端子Ａ１，Ａ２，Ｂ〜Ｇ全てに検出可能
2004039596.tif 000003
次に、第２のフィラメント接続検出回路について説明する。
【００７０】
この回路の目的は、上記第１のフィラメント接続検出回路で点灯時に検出できないフィラメント端子Ｅ，Ｃ，Ｂ，Ｇの４つに対して検出を可能にすることである。
【００７１】
まず、図４に示す放電灯Ｌａ１，Ｌａ２及びフィラメントｆ１〜ｆ４回りの回路を、放電灯Ｌａ１，Ｌａ２、フィラメントｆ１〜ｆ４を等価抵抗ＲＬａ１，ＲＬａ２，Ｒｆ１１，Ｒｆ１２，・・・Ｒｆ４１，Ｒｆ４２で示すと図５に示すようになる。ここで、例えば、フィラメントｆ１の等価抵抗をＲｆ１１とＲｆ１２に分けて示しているのは、放電灯内の放電の起点がフィラメントｆ１の中間点に位置していると仮定したものであり、フィラメントｆ１の等価抵抗をＲｆ１とするとＲｆ１＝Ｒｆ１１＋Ｒｆ１２が成り立つものとする。また、従来例でも述べたが、放電灯の点灯時の等価抵抗値は数百オーム、フィラメントｆ１〜ｆ４の等価抵抗値は数オーム〜数十オームであり、図４および図５中の抵抗Ｒ２，Ｒ３の値をＲＬａ１，ＲＬａ２，Ｒｆ１〜Ｒｆ４≪Ｒ２，Ｒ３となるように充分大きな値に設定すると、放電灯Ｌａ１，Ｌａ２共に正常に接続されている場合の直流的等価回路は図６のようになる。
【００７２】
この場合、図６中の点▲１▼〜▲４▼の電圧は、直流電源ＶＳから抵抗Ｒ１を介して、それぞれ低抵抗であるフィラメント抵抗及びランプ等価抵抗を経た位置での電圧となる。ここで点▲１▼〜▲４▼電圧の分圧電圧となる点▲１▼’〜▲４▼’電圧（検出出力）は”Ｈｉｇｈ”レベルとなるように設定する。
【００７３】
次に、フィラメント端子Ｅが点灯中に接触不良になった場合、図７に示す等価回路からも判る様に、点▲１▼電圧は点▲３▼電圧から更に抵抗Ｒ２を介した位置での電圧となる。従って、点▲１▼’電圧はＲ２が加わった分圧電圧となる為、正常接続時よりも低下した電圧となり”Ｌｏｗ”レベルとなる。
【００７４】
次に、フィラメント端子Ｃが点灯中に接触不良になった場合、図８に示す等価回路となり、点▲３▼電圧は点▲１▼電圧から更に抵抗Ｒ２を介した位置での電圧となる。従って、点▲３▼’電圧はＲ２が加わった分圧電圧となる為、正常接続時よりも低下した電圧となり”Ｌｏｗ”レベルとなる。
【００７５】
次に、フィラメント端子Ｂが点灯中に接触不良になった場合、図９に示す等価回路となり、点▲４▼電圧は点▲２▼電圧から更に抵抗Ｒ３を介した位置での電圧となる。従って、点▲４▼’電圧はＲ３が加わった分圧電圧となる為、正常接続時よりも低下した電圧となり”Ｌｏｗ”レベルとなる。
【００７６】
最後に、フィラメント端子Ｇが点灯中に接触不良になった場合、図１０に示す等価回路となり、点▲２▼電圧は点▲４▼電圧から更に抵抗Ｒ３を介した位置での電圧となる。従って、点▲２▼’電圧はＲ３が加わった分圧電圧となる為、正常接続時よりも低下した電圧となり”Ｌｏｗ”レベルとなる。
【００７７】
次に、参考例として、第１及び第２のフィラメント接続検出回路の動作シミュレーションを行なったのでそれを下記の表１及び表２に示す。
【００７８】
【表１】
2004039596.tif 000004
【００７９】
【表２】
2004039596.tif 000005
【００８０】
表１は、シミュレーションの条件である直流電源電圧及び各抵抗の抵抗値を示す。そして、表２には、放電灯の正常接続時、及びフィラメント端子Ａ〜Ｇが点灯中に接触不良になった場合の検出電圧を示す。なお、シミュレーションの注意事項としては、予熱時（放電灯が点灯していない）の放電灯等価抵抗は∞（無限大）オーム、また点灯時の放電灯等価抵抗及びフィラメント抵抗は低抵抗である為、０オームとして考えている。
【００８１】
まず、第１のフィラメント接続検出回路の検出出力であるＲ５両端電圧は、正常接続時では予熱時でも８．２５Ｖ（＞０Ｖ）であるのに対し、点灯中ではフィラメント端子Ｄ，Ａ，Ｆが接触不良となった場合には、０Ｖとなり、検出可能である。当然ながら予熱モード時にいずれかのフィラメント端子が接続不良の場合はＲ５両端電圧は０Ｖである。
【００８２】
次に、第２のフィラメント接続検出回路の点▲１▼〜▲４▼電圧としては、放電灯点灯中の正常接続時は、いずれも８７．５Ｖであるのに対し、例えば、フィラメントＥ端子が接触不良の場合は点▲１▼電圧が３８．６Ｖ（＜８７．５Ｖ）となり検出可能である。
【００８３】
以上のように、上記第１のフィラメント接続検出回路で点灯時に検出できないフィラメント端子Ｅ、Ｃ、Ｂ、Ｇの４つにおいて、点灯中に接触不良が発生した場合には、点▲１▼’電圧〜点▲４▼’電圧のいずれかが
”Ｌｏｗ”レベルになる為、この出力を利用して検出することが可能となる。
【００８４】
以上、本発明においては、放電灯が点灯している／していないに関わらず、全てのフィラメント端子の接続不良の検出ができるとともに、従来例として示した図２４と比較して、
・直流電源ＶＳからの抵抗Ｒ３０、Ｒ３１及び予熱モード時の検出を可能にするＲ４０、Ｒ４１を利用し、上記に抵抗Ｒ５及びコンデンサＣ３を追加して第１のフィラメント検出回路を構成する代わりに
・第２のフィラメント検出回路の構成としては、図２４中の第４の直流導通素子及び点▲４▼’電圧、点▲６▼電圧の検出部を削除することができて、しかも、安価で簡単な構成の放電灯点灯装置を提供するものである。
【００８５】
なお、図１中の直流電源回路としては、図２の（ａ）に示す完全平滑電源や、図２の（ｂ）に示す部分平滑電源のいずれでも良く、それを実現する回路としては、昇圧チョッパ回路、昇降圧チョッパ回路、降圧チョッパ回路などのアクティブフィルタ回路を用いても良い。
【００８６】
また、図１ではインバータ回路の上段のスイッチング素子両端に負荷回路（出力トランスＴ２等）が接続されているが、これは下段のスイッチング素子両端に接続したものであっても特に問題はない。
【００８７】
また、インバータ回路内のスイッチング素子ＳＷ１，ＳＷ２としては、ＭＯＳＦＥＴ、あるいはバイポーラトランジスタとダイオードの並列回路のどちらを採用しても良い。
【００８８】
（第２の実施形態）
この第２の実施形態は、請求項１，４，５，６，７，８に対応しているものであり、絶縁型ＩＮＶ、２灯、非電源側ＤＣループ回路、第２のフィラメント検出をなすものである。本発明の第２の実施形態の回路図を図１１に示す。
【００８９】
まず、この第２の実施形態の回路構成を説明する。
【００９０】
上記第１の実施形態で述べた図１の回路図との相違は、以下の通りである。
【００９１】
まず、インバータ負荷回路では、共振用インダクタＬ１がトランスＴ２の１次側から２次側へ移動し、直流カット用コンデンサＣ１とフィラメント端子Ｄとの間に挿入されている。但し、共振動作はＬ１とＣ２によるものであることは図１と同様であり、インバータ回路、及びインバータ負荷回路における動作上の変化はない。
【００９２】
次に、第１のフィラメント接続検出回路において、直流電源ＶＳの正極側からのＲ１の接続位置が、フィラメント端子ＥとコンデンサＣ５の接続点に変更し、放電灯から見れば、電源側（トランス出力側）から、非電源側に変更されている。また、それに伴って、Ｒ２はフィラメント端子Ｄとフィラメント端子Ｃとの間に接続され、Ｒ３はフィラメント端子Ｂ及びＦの間に接続する。更に、抵抗Ｒ４の接続位置もフィラメント端子ＧとコンデンサＣ２５との接続点に変更している。
【００９３】
最後に、第２のフィラメント接続検出回路において、第１直流導通素子（抵抗Ｒ１１等）の接続位置がＣ１５とＴ２の二次巻線ｎ３との接続点へ変更し、第２直流導通素子（抵抗Ｒ２１等）の接続位置はＣ２５とＴ２の二次巻線ｎ４との接続点へ変更している。
【００９４】
以上が上記第１の実施形態で述べた図１の回路図との相違であり、図１１のその他の構成については、図１と同じであることから、ここでは図１と同じ構成要素には同じ記号、番号を付して、説明は省略する。
【００９５】
次に、この第２の実施形態の回路動作について説明する。
【００９６】
まず、インバータ回路及び放電灯がフィラメント予熱から点灯に至るまでの過程は上記第１の実施形態と同様であるため、説明は省略する。
【００９７】
次に、第１のフィラメント接続検出回路の動作については、Ｒ１及びＲ４の接続位置が放電灯の電源側フィラメント端子から非電源側フィラメント端子に変更したことにより、点灯中に接触不良の検出が可能なフィラメント端子が変わり、以下のようになる。
【００９８】
・予熱モード時（放電灯が点灯していない時）：フィラメント端子Ａ１，Ａ２，Ｂ〜Ｇ全てに検出可能
2004039596.tif 000006
つまり、点灯モード時において第１の実施形態（図１）で検出可能であったフィラメント端子Ｄ及びＦが不可能となり、代わりに不可能であったフィラメント端子Ｅ及びＧが可能となる。
【００９９】
従って、第２のフィラメント接続検出回路では上記検出不可能な４つのフィラメント端子の接触不良について、それを可能にするものである。但し、動作的には第１の実施形態と全く同様の原理であり、例えば、フィラメント端子Ｅの接触不良であれば、第１直流導通素子（検出出力は点▲１▼’）にＲ２が追加され、フィラメント端子Ｇの接触不良であれば、第２直流導通素子（検出出力は点▲２▼’）にＲ３が追加されることになる。
【０１００】
以上、本実施形態においては、第１の実施形態と同様、第１及び第２のフィラメント接続検出回路により、放電灯が点灯している、または、していないに関わらず、全てのフィラメント端子の接続不良の検出ができて、しかも、安価で簡単な構成の放電灯点灯装置を提供することができる。
【０１０１】
また、第１のフィラメント接続検出回路について言及すると、第１の実施形態の図１のような回路構成では、直流電源ＶＳの投入時でコンデンサＣ１及びＣ２に電荷が全くない場合には、放電灯Ｌａ１　ａｎｄ／ｏｒ　Ｌａ２が装着されていなくても、Ｃ１及びＣ２を充電する経路でコンデンサＣ３に充電され、本来出力が”Ｌｏｗ”であるべきＣ３両端電圧が”ＨＩｇｈ”レベル出力になるという誤動作の可能性があったが、本実施形態においては、直流電源ＶＳからのＲ１の接続位置が放電灯の非電源側フィラメント端子に接続されている為、直流電源ＶＳの投入時でコンデンサＣ１及びＣ２に電荷が全くない場合でも、フィラメントｆ１及びｆ４が接続されていない限り、Ｃ３への充電経路はなく、”Ｌｏｗ”であるべき出力が”ＨＩｇｈ”となるという誤動作を防止することができる。
【０１０２】
以上が本実施形態での効果である。（請求項５）
（第３の実施形態）
この第３の実施形態は、請求項２，４に対応しているものであり、非絶縁型ＩＮＶで上段ＳＷ並列に負荷回路接続、２灯、ＤＣループ回路、第２のフィラメント検出をなすものである。本発明の第３の実施形態の回路図を図１２に示す。
【０１０３】
まず、この第３の実施形態の回路構成を説明する。
【０１０４】
上記第１の実施形態で述べた図１の回路図との相違は、以下の通りである。
【０１０５】
第１の実施形態（図１）では、トランスＴ２を用いて放電灯を含めたインバータ負荷回路をインバータ回路から絶縁した構成としていたが、本実施形態ではＴ２を削除し、非絶縁型のインバータ負荷回路となっている。
【０１０６】
具体的には、上段のスイッチング素子ＳＷ１両端に共振用インダクタＬ１、共振用コンデンサＣ２及び直流カット用コンデンサＣ１の直列回路が接続されており、放電灯Ｌａ１，Ｌａ２がＣ２両端に接続されているところは図１と同様である。フィラメント予熱用の電圧源はＬ１の二次巻線ｎ３〜ｎ５にて設定している。
【０１０７】
第１のフィラメント接続検出回路としては、放電灯Ｌａ１の電源側フィラメント端子ＤがＬ１を介して直流電源ＶＳと既に接続されている為、図１で設けていたＲ１は削除している。また、Ｒ４はフィラメント端子ＦとＣ１との接続点に接続している。
【０１０８】
最後に、第２のフィラメント接続検出回路については、第３直流導通素子の接続位置が、図１ではトランスＴ２の二次巻線ｎ４の一端とＣ５との接続点であったが、本実施例ではｎ４の他端とフィラメント端子Ｃとの接続点となっている。また、それ以外の構成については、図１と全く同様である為に、説明は省略する。
【０１０９】
次に、この第３の実施形態の回路動作について説明する。
【０１１０】
まず、インバータ回路及び放電灯がフィラメント予熱から点灯に至るまでの過程は上記第１の実施形態と同様であるため、説明は省略する。
【０１１１】
また、第１のフィラメント接続検出回路の動作については、上記第１の実施形態からＲ１が削除されてはいるが、基本的な動作は全く同様であり、本実施形態におけるフィラメント端子の接続検出可否も上記第１の実施形態と同様である。更に、第２のフィラメント接続検出回路についても上記第１の実施形態と同様である。
【０１１２】
最後に、本実施形態の構成にて特筆すべきは、直流カットコンデンサＣ１の接続位置であり、本発明の効果を成立させた放電灯点灯装置を構成する為には、Ｃ１は放電灯の電源側フィラメント端子（端子Ｆ）と共振用コンデンサＣ２との接続点と、スイッチング素子ＳＷ１、ＳＷ２の接続点との間に挿入接続する必要がある。
【０１１３】
その理由としては、第１のフィラメント接続検出回路内のＲ４高圧（正極）側の電圧を確保することであり、もし、Ｃ１がない場合には、ＳＷ２がＯＮする度にＲ４高圧側電圧は回路グランドに接続されることとなり、例えば、放電灯Ｌａ１，Ｌａ２が正常に装着されている場合でもＣ３両端電圧が”Ｌｏｗ”レベル出力となって”放電灯が装着されていない”という誤った判断をすることになる。これを防止する為には、ＳＷ２の前段にＣ１を介在させ、Ｒ４高圧側電圧が回路グランドにおちることを防止する必要がある。
【０１１４】
以上、本実施形態においては、上記第１の実施形態で述べた本発明の内容を、非絶縁型の放電灯点灯装置に展開応用したものであり、その効果についても上記第１の実施形態と同様である。（請求項２）
（第４の実施形態）
この第４の実施形態は、請求項３，４，５，６，７，８に対応しているものであり、非絶縁型ＩＮＶで下段ＳＷ並列に負荷回路接続、２灯、ＤＣループ回路、第２のフィラメント検出をなすものである。本発明の第４の実施形態の回路図を図１３に示す。
【０１１５】
まず、この第４の実施形態の回路構成を説明する。
【０１１６】
上記第３の実施形態で述べた図１２の回路図との相違は、以下の通りである。
【０１１７】
上記第３の実施形態（図１２）では上段のスイッチング素子ＳＷ１両端に共振用インダクタＬ１、共振用コンデンサＣ２及び直流カット用コンデンサＣ１の直列回路が接続されており、放電灯Ｌａ１，Ｌａ２がＣ２両端に接続されていたが、本実施形態では、それがそのまま下段のスイッチング素子ＳＷ２両端に接続されている。
【０１１８】
第１のフィラメント接続検出回路としては、上記第２の実施形態の図１１と同様に、Ｒ１が直流電源ＶＳの正極側から放電灯の非電源側フィラメント端子Ｅとの間に接続されている。また、それに伴ってＲ２はフィラメント端子ＤとＣとの間に接続され、同じく、Ｒ３はフィラメント端子ＢとＦとの間に接続されている。そして、Ｒ４の高圧側は、非電源側フィラメント端子ＧとＣ２５との接続点に接続されている。
【０１１９】
最後に、第２のフィラメント接続検出回路については、第１直流導通素子の接続位置が、Ｌ１の二次巻線ｎ３の一端とＣ１５との接続点に接続されており、第２直流導通素子はＬ１の二次巻線ｎ５の一端とＣ２５との接続点に接続されている。
【０１２０】
以上が図１２との相違点であり、それ以外の構成については図１２と全く同様である為、説明は省略する。
【０１２１】
次に、この第４の実施形態の回路動作について説明する。
【０１２２】
まず、インバータ回路及び放電灯がフィラメント予熱から点灯に至るまでの過程は第１の実施形態と同様であるため、説明は省略する。
【０１２３】
また、第１のフィラメント接続検出回路の動作については、第２の実施形態と全く同様であり、本実施形態におけるフィラメント端子の接続検出可否も第２の実施形態と同様である。
【０１２４】
更に、第２のフィラメント接続検出回路についても第２の実施形態と同様である。
【０１２５】
最後に、本実施形態の構成にて特筆すべきは、直流カットコンデンサＣ１の接続位置であり、第３の実施形態の図１２と同様、本発明の効果を成立させた放電灯点灯装置を構成する為には、Ｃ１は放電灯の電源側フィラメント端子（端子Ｆ）と共振用コンデンサＣ２との接続点と、スイッチング素子ＳＷ１，ＳＷ２の接続点との間に挿入接続する必要がある。
【０１２６】
その理由としては、第１のフィラメント接続検出回路内のＲ４高圧（正極）側の電圧を確保することであり、後述する第７の実施形態と同様である。
【０１２７】
以上、本実施形態においても後述する第７の実施形態と同様に、第１の実施形態で述べた本発明の内容を、非絶縁型の放電灯点灯装置に展開応用した一例であり、その効果についても第１の実施形態と同様である。（請求項３）
（第５の実施形態）
この第５の実施形態は、請求項１，５，６，７，８に対応しているものであり、絶縁型ＩＮＶ、１灯、ＤＣループ回路、第２のフィラメント検出をなすものである。本発明の第５の実施形態の回路図を図１４に示す。
【０１２８】
まず、この第５の実施形態の回路構成を説明する。
【０１２９】
上記第２の実施形態で述べた図１１の回路図との相違は、以下の通りである。
【０１３０】
上記第２の実施形態（図１１）では放電灯の灯数が直列２灯用であったが、本実施形態では１灯用となっている。それに伴って、
・放電灯Ｌａ１のフィラメント端子はｆ１の電源側フィラメント端子はＢ、非電源側はＡであり、ｆ２の電源側はフィラメント端子Ｃ、非電源側はＤと改名されている。
【０１３１】
・放電灯Ｌａ２及びそれに並列接続されていたＲ３は削除
・トランスＴ２の二次巻線ｎ５は削除し、ｎ４はフィラメントｆ２用のフィラメント電流供給用電圧源としている。
【０１３２】
・放電灯Ｌａ１とＬａ２の接続が無くなった為、コンデンサＣ５は削除し、第２のフィラメント接続検出回路の内、第３及び第４の直流導通素子は不用となる為削除している。
【０１３３】
以上が図１１との相違点であり、それ以外の構成は図１１と全く同様である為、説明は省略する。
【０１３４】
次に、この第５の実施形態の回路動作について説明する。
【０１３５】
まず、インバータ回路及び放電灯がフィラメント予熱から点灯に至るまでの過程は第１の実施形態と同様であるため、説明は省略する。
【０１３６】
また、第１のフィラメント接続検出回路の動作については、第２の実施形態と全く同様であり、動作説明は省略するが、予熱モード時及び点灯モード時でのフィラメント端子の接続有無の検出可否は以下の通りである。
【０１３７】
・予熱モード時（放電灯が点灯していない時）：フィラメント端子Ａ〜Ｄ全てに検出可能
2004039596.tif 000007
次に、第２のフィラメント接続検出回路については、上記第１のフィラメント接続検出回路で点灯時に検出できないフィラメント端子Ｂ、Ｃの２つに対して検出を可能にするものであり、フィラメント端子Ｂが接触不良の場合は第１直流導通素子の点▲１▼’出力が”Ｌｏｗ”レベルとなり、フィラメント端子Ｃが接触不良の場合は第２直流導通素子の点▲２▼’出力が”Ｌｏｗ”レベルとなる。
【０１３８】
以上、本実施形態においては、放電灯の灯数が１灯用の場合における本発明の応用展開の一例を示したものであり、その効果については、これまでの実施形態と同様である。（請求項１）
また、この灯数違いによる、絶縁型／非絶縁型インバータへの適用／不適用の弊害は一切なく１灯用においても、これまでの実施形態の内容を展開可能なことは言うまでもないものである。
【０１３９】
（第６の実施形態）
この第６の実施形態は、請求項１，４，５，６，７，８に対応しているものであり、絶縁型ＩＮＶ、３灯、ＤＣループ回路、第２のフィラメント検出をなすものである。本発明の第６の実施形態の回路図を図１５に示す。
【０１４０】
まず、この第６の実施形態の回路構成を説明する。
【０１４１】
上記第２の実施形態で述べた図１１の回路図との相違は、以下の通りである。
【０１４２】
上記第２の実施形態（図１１）では放電灯の灯数が直列２灯用であったが、本実施形態では直列３灯用となっている。それに伴って、
・フィラメントｆ５及びｆ６を備えた放電灯Ｌａ３が追加されている。
【０１４３】
・放電灯Ｌａ２のフィラメント端子の内、フィラメント端子ＧがＧ１と改名し、放電灯Ｌａ３についてはｆ５の電源側フィラメント端子はＨ、非電源側はＧ２であり、ｆ６の電源側はフィラメント端子Ｉ、非電源側はＪとした。
【０１４４】
・放電灯Ｌａ３のフィラメント端子Ｈ及びＩの間に抵抗Ｒ６を接続
・トランスＴ２の二次巻線ｎ６及びコンデンサＣ３５を新設し、ｎ６、ｆ４、ｆ５及びＣ３５で閉ループを構成してｎ６はフィラメントｆ４及びｆ５用のフィラメント電流供給用電圧源としている。
【０１４５】
また、同じく二次巻線ｎ５はフィラメントｆ６用のフィラメント電流供給用電圧源とした。
【０１４６】
・放電灯Ｌａ３が追加になったことで、第２のフィラメント接続検出回路の内、第５及び第６の直流導通素子を新設し、Ｃ３５両端に接続した。
【０１４７】
以上が図１１との相違点であり、それ以外の構成は図１１と同様である為、説明は省略する。
【０１４８】
次に、この第６の実施形態の回路動作について説明する。
【０１４９】
まず、インバータ回路及び放電灯がフィラメント予熱から点灯に至るまでの過程は第１の実施形態と同様であるため、説明は省略する。
【０１５０】
また、第１のフィラメント接続検出回路の動作については、第２の実施形態と全く同様であり、動作説明は省略するが、予熱モード時及び点灯モード時でのフィラメント端子の接続有無の検出可否は以下の通りである。
【０１５１】
・予熱モード時（放電灯が点灯していない時）：フィラメント端子Ａ〜Ｊ全てに検出可能
・点灯モード時：フィラメント端子Ｅ，Ａ１，Ａ２，Ｇ１，Ｇ２，Ｊの６つは検出可能
フィラメント端子Ｄ，Ｃ，Ｂ，Ｆ，Ｈ，Ｉの６つは検出が不可能次に、第２のフィラメント接続検出回路については、上記第１のフィラメント接続検出回路で点灯時に検出できないフィラメント端子Ｄ，Ｃ，Ｂ，Ｆ，Ｈ，Ｉの６つに対して検出を可能にするものであり、フィラメント端子Ｄが接触不良の場合は第１直流導通素子の点▲１▼’出力が”Ｌｏｗ”レベル、
フィラメント端子Ｃが接触不良の場合は第３直流導通素子の点▲３▼’出力が”Ｌｏｗ”レベル、
フィラメント端子Ｂが接触不良の場合は第４直流導通素子の点▲４▼’出力が”Ｌｏｗ”レベル、
フィラメント端子Ｆが接触不良の場合は第５直流導通素子の点▲５▼’出力が”Ｌｏｗ”レベル、
フィラメント端子Ｈが接触不良の場合は第６直流導通素子の点▲６▼’出力が”Ｌｏｗ”レベル、
フィラメント端子Ｉが接触不良の場合は第２直流導通素子の点▲２▼’出力が”Ｌｏｗ”レベルとなる。
【０１５２】
以上、本実施形態においては、放電灯の灯数が３灯用の場合における本発明の応用展開の一例を示したものであり、その効果についてはこれまでの実施形態と同様である。（請求項４）
また、この灯数違いによる、絶縁型／非絶縁型インバータへの適用／不適用の弊害は一切なく、１灯用においてもこれまでの実施例の内容を展開可能なことは言うまでもないものである。
【０１５３】
更に、放電灯の灯数が直列４灯、５灯、・・・と増えても基本的には第２の実施形態から本実施形態への応用展開通りの回路構成にすることにより、本発明からの展開は可能である。
【０１５４】
（第７の実施形態）
この第７の実施形態は、請求項９ないし請求項１４に対応しているものであり、絶縁型ＩＮＶ、２灯、ＤＣループ回路、第２のフィラメント検出でＤｉとコンパレータ追加をなすものである。本発明の第７の実施形態の回路図を図１６に示す。また、直流電源ＶＳの電源投入から予熱〜点灯及びフィラメント端子接触不良時の各部信号のタイムチャートを図１７に示す。
【０１５５】
まず、この第７の実施形態の回路構成（図１６）を説明する。
【０１５６】
本実施形態は、上記第２の実施形態（図１１）で述べた内容から、特に、第２のフィラメント接続検出回路の検出方法を中心に、更に回路構成を具体化した一例を示すものである。上記第２の実施形態で述べた図１１の回路図との相違は、以下の通りである。
【０１５７】
・インバータ回路のスイッチング素子ＳＷ１、ＳＷ２を高周波でＯＮ／ＯＦＦ駆動動作させる制御回路として、直流電源ＶＳ投入時から予熱・始動・点灯へ移行する際の時間を決定するタイマー部、タイマー部からの信号を受けて、予熱、始動、点灯モードでの各発振周波数で発振信号を出力する発振制御部、発振制御部からの発振信号を受けて、ＳＷ１、ＳＷ２をＯＮ／ＯＦＦ駆動する駆動回路を構成している。
【０１５８】
・第１のフィラメント接続検出回路では、Ｒ４とＲ５との間に逆方向電流防止用のダイオードＤ１を挿入し、Ｃ３両端には定電圧ダイオードＺＤ１を接続している。
【０１５９】
・第２のフィラメント接続検出回路では、まず、第１直流導通素子としてＲ１１とＲ１２との間に逆方向電流防止用のダイオードＤ１１を接続し、Ｄ１１とＲ１２との直列回路と並列に回生電流用ダイオードＤ１２を接続している。また、点▲１▼’出力はコンパレータＣＯＭＰ１の＋（プラス）端子に接続し、ＣＯＭＰ１の−（マイナス）端子には電圧Ｖｒｅｆ１の電圧源が接続されている。
【０１６０】
第１直流導通素子と同様に第２〜第４直流導通素子には、逆方向電流防止用ダイオードＤ２１，Ｄ３１，Ｄ４１と回生電流用ダイオードＤ２２，Ｄ３２，Ｄ４２が接続され、点▲２▼’〜▲４▼’出力はコンパレータＣＯＭＰ２〜ＣＯＭＰ４の＋（プラス）端子に接続され、ＣＯＭＰ２〜ＣＯＭＰ４の−（マイナス）端子にはそれぞれ電圧Ｖｒｅｆ２〜Ｖｒｅｆ４の電圧源が接続されている。
【０１６１】
そして、ＣＯＭＰ１〜ＣＯＭＰ４の出力端子はそれぞれ第２のフィラメント接続検出部に入力される。
【０１６２】
また、第１及び第２のフィラメント接続検出回路の出力は前記インバータ制御回路の発振制御部に接続される。
【０１６３】
最後に、第２のフィラメント接続検出回路の検出信号を無効にする手段として、検出マスク手段を設け、インバータ制御回路内のタイマー部及び発振制御部からの信号を受けて動作する構成となっている。
【０１６４】
以上が図１１との相違点であり、それ以外の構成は図１１と同様である為、説明は省略する。
【０１６５】
次に、この第７の実施形態の回路動作について説明する。
【０１６６】
まず、インバータ回路及び放電灯がフィラメント予熱から点灯に至るまでの過程の補足説明として図１７を用いて説明する。図１７の最上段のグラフは、直流電源ＶＳが電源投入されてからのインバータ回路の発振動作周波数を示している。まず、ＶＳが電源投入されると、一定期間の発振停止期間を経てタイマー部から予熱モードへ移行する命令が発振制御部へ出力する。発振制御部は予熱モード移行の命令を受けて予熱モードに相応する周波数ｆａの駆動信号を出力する。駆動回路は発振制御部からの駆動信号を受けてＳＷ１、ＳＷ２を交互にＯＮ／ＯＦＦ動作させる。
【０１６７】
次に、タイマー部は”予熱モードから始動モードへ移行”という命令を出力し、発振制御部は始動モードに相応する周波数ｆｂの駆動信号を出力する。駆動回路はｆｂにてＳＷ１，ＳＷ２を駆動する。
【０１６８】
放電灯は、始動モード時にて点灯開始する。そして、最後にタイマー部から”始動モードから点灯モードへ移行”という命令を出力し、発振制御部は始動モードに相応する周波数ｆｃの駆動信号を出力する。駆動回路はｆｃにてＳＷ１、ＳＷ２を駆動する。
【０１６９】
次に、第１のフィラメント接続検出回路の動作について補足説明する。第１のフィラメント接続検出部は、コンデンサＣ３の両端電圧を検出しており、Ｃ３両端に所定以上の電圧が発生している場合には”放電灯が正常接続されている”と判断し、第１のフィラメント接続検出部から発振制御部へ”Ｈｉｇｈ”レベル出力が出力される。また、Ｃ３両端電圧が所定値以下の電圧である場合には”放電灯は正常に接続されていない”と判断し、第１のフィラメント接続検出部から発振制御部へ”Ｌｏｗ”レベル出力が出力される。
【０１７０】
発振制御部は、第１のフィラメント接続検出部からの出力信号と、後述の第２のフィラメント接続検出部からの出力が共に”Ｈｉｇｈ”レベルの場合に限り発振動作を継続し、もし少なくともどちらかのフィラメント接続検出部から”Ｌｏｗ”レベルの出力を受けた場合には発振停止するような制御を行なう様設定されている。
【０１７１】
従って、直流電源ＶＳが電源投入されてからの発振停止期間あるいは予熱モード時にてフィラメント端子の少なくとも１つが接続不良の場合、そして点灯中にフィラメント端子Ｅ，Ａ１，Ａ２，Ｇが接触不良となった場合には、第１のフィラメント接続検出部から”Ｌｏｗ”レベルの出力が出力される為、発振制御部では発振を開始しない、もしくは発振を停止するよう制御する。
【０１７２】
次に、第２のフィラメント接続検出回路の動作について［１］点灯時、［２］点灯時以外に分けて図１７及び上記表２を用いて説明する。なお、説明を容易にする為に、表２の点▲１▼〜▲４▼電圧は検出出力である点▲１▼’〜▲４▼’電圧と読み替えて説明することにする。（点▲１▼’〜▲４▼’電圧は単に点▲１▼〜▲４▼電圧を抵抗分圧した値であり、動作説明に関しては特に支障は無い為）
［１］点灯時
まず、放電灯が正常に接続されている場合、点灯中の点▲１▼’〜▲４▼’電圧は表２より８７．５Ｖである。そして、例えば、フィラメント端子Ｅが点灯中に接触不良となった場合、表２より点▲２▼’〜▲４▼’電圧は９６．５Ｖと微増するのに対し、点▲１▼’電圧は３８．６Ｖに大幅低下するものである。ここで、コンパレータＣＯＭＰ１のしきい値電圧Ｖｒｅｆ１の設定としては、上記８７．５Ｖと３８．６Ｖとの間の電圧に設定しておく。これにより、放電灯が正常接続されている場合には、ＣＯＭＰ１出力は”Ｈｉｇｈ”レベル出力を出力し、フィラメント端子Ｅが点灯中に接触不良となった場合には、ＣＯＭＰ１出力は”Ｌｏｗ”レベルを出力する。
【０１７３】
そして、第２のフィラメント接続検出部ではＣＯＭＰ１〜４の出力が全て”Ｈｉｇｈ”出力の場合にのみ”放電灯が正常に接続されている”と判断し発振制御部へ”Ｈｉｇｈ”レベルを出力し、ＣＯＭＰ１〜４の少なくとも１つが”Ｌｏｗ”出力の場合には”放電灯は正常に接続されていない”と判断して発振制御部へ”Ｌｏｗ”レベルを出力するように設定しておく。従ってＣＯＭＰ１から”Ｌｏｗ”出力が出力された場合には”放電灯は正常に接続されていない”と判断し、それを発振制御部へ出力する。発振制御部は第２のフィラメント接続検出部からの”放電灯は正常に接続されていない”という信号を受けてインバータ回路の発振動作を停止する。インバータ回路の発振動作が停止すると、放電灯の点灯は消滅する為、仮にフィラメント端子Ｅがその時点でも接続不良の場合には、今度は第１のフィラメント接続検出回路が”放電灯は正常に接続されていない”と判断し、発振制御部に”Ｌｏｗ”出力を出力維持することになり、フィラメント端子Ｅを含めた放電灯Ｌａ１、Ｌａ２の全てのフィラメント端子が正常に接続されるまで発振制御部が発振動作することはない。
【０１７４】
以上、上記動作のタイムチャートは、図１７の点灯モード時を参照してみると、同図１７より点灯中でフィラメント端子Ｅが接触不良になった瞬間から点▲１▼’電圧が低下し始め、Ｖｒｅｆ１を下回った瞬間で検出が動作しインバータ回路の発振動作が停止していることが判るものである。
【０１７５】
なお、点灯中に接触不良となるフィラメント端子がフィラメント端子Ｅ以外の場合でも、点▲１▼’電圧の代わりに点▲２▼’〜▲４▼’電圧のどれかが上記と同様の動作をすることも容易に判るものである。
【０１７６】
［１］点灯時以外（発振停止時、予熱時、始動時）
上記表２の放電灯正常接続状態で予熱時、つまり放電灯が点灯していない場合の点▲１▼’〜▲４▼’電圧をみると、点▲１▼’電圧＝１６０．５Ｖ、点▲２▼’電圧＝１０．７Ｖ、点▲３▼’電圧＝点▲４▼’電圧＝３４．２Ｖとなっている。ここで危惧する点は、上記［１］点灯時の場合で述べたＣＯＭＰ１〜４の−（マイナス）端子に入力されている検出しきい値Ｖｒｅｆ１〜４に対して点▲２▼’〜▲４▼’電圧が下回り、正常接続しているにも関わらず、第２のフィラメント接続検出では”放電灯が正常に接続されていない”と判断するという誤動作が発生してしまうということである。例えば、点▲２▼’電圧で見ると、正常接続状態の点灯時は８７．５Ｖ、フィラメント端子Ｇが点灯中に接触不良した場合は３８．６Ｖであり、上記予熱時の電圧が１０．７Ｖ（＜３８．６Ｖ）ということを見れば誤動作が発生することは明白である。
【０１７７】
従って、本実施形態ではこの誤動作を回避する手段として、第２のフィラメント接続検出回路の検出信号を必要なタイミングで無効にすることができる検出マスク手段を設けた。
【０１７８】
図１７の最下段のグラフは検出マスク手段の具体例を示している。上記のような誤動作は、放電灯が点灯していない場合に発生することから、インバータ回路の発振停止時、及び予熱モード時は少なくとも検出マスクして第２のフィラメント接続検出回路を無効にする必要がある。
【０１７９】
また、放電灯が点灯してしまえば誤動作の可能性は無い為、放電灯が点灯したことを検出して、点灯後から第２のフィラメント接続検出回路を有効にするようにしても良い（図１６及び図１７の点線にて図示）し、より確実性を求めるのであれば、更に始動モード時までを検出マスクして、第２のフィラメント接続検出回路を無効にするようにしても良い。
【０１８０】
なお、発振停止時に検出マスクするタイミングは、発振制御部から発振していないという信号を検出マスク手段に伝達してやることで可能であり、予熱時、始動時に検出マスクするタイミングはタイマー部からの信号を検出マスク手段に伝達してやることで可能である。
【０１８１】
以上、本実施形態においては、特に、第２のフィラメント接続検出回路の検出方法を中心に、更に回路構成を具体化した一例を示した。その要点をまとめると、
（１）第２のフィラメント接続検出回路の各直流導通素子に逆方向電流防止用ダイオード（Ｄ１１，Ｄ２１，Ｄ３１，Ｄ４１）を追加して抵抗＋ダイオードの直列回路構成としたことで、放電灯寿命末期時など異常な電圧が発生した場合での検出誤動作を防止し、検出回路としての信頼性を向上させた（請求項９）
（２）各直流導通素子の検出出力に対してそれぞれにコンパレータを接続し、検出回路としての精度を向上させ、回路設計に関しては設計手法を簡素化した。（請求項１０、１１）
（３）第２のフィラメント接続検出回路の検出を無効にする検出マスク手段を設け、点灯時は検出を有効とし、点灯していない時は無効とするようにしたことにより、検出の誤動作を回避し、検出回路としての信頼性を向上させた。（請求項１２）
（４）第２のフィラメント接続検出回路の無効期間として発振停止時を提起した。（請求項１３）
（５）第２のフィラメント接続検出回路の無効期間として予熱モード時を提起した。（請求項１４）
（第８の実施形態）
この第８の実施形態は、請求項１５に対応しているものであり、第２のフィラメント接続検出回路の検出しきい値は調光に応じて可変するものである。
【０１８２】
本実施形態は、放電灯の点灯出力を高光束から低光束まで調光可能な放電灯点灯装置において、第２のフィラメント接続検出回路の検出精度を向上させる手段について述べるものである。
【０１８３】
そして、本発明の第８の実施形態の回路図を図１８に示す。
【０１８４】
まず、この第８の実施形態の回路構成を説明する。
【０１８５】
上記第７の実施形態で述べた図１６の回路図との相違は、以下の通りである。
【０１８６】
・インバータ回路のスイッチング素子ＳＷ１，ＳＷ２を高周波でＯＮ／ＯＦＦ駆動動作させる制御回路として、調光信号処理部を追加した。
【０１８７】
・第２のフィラメント接続検出回路では、まず回生電流用ダイオードＤ１２，Ｄ２２，Ｄ３２，Ｄ４２を削除している。また、ＣＯＭＰ１の−（マイナス）端子に入力される検出しきい値Ｖｒｅｆ１〜Ｖｒｅｆ４の電圧源に対して電圧値を可変とするＶｒｅｆ可変手段を追加して、調光信号処理部からの調光信号を受けてＶｒｅｆが可変となるようにした。
【０１８８】
以上が図１６との相違点であり、それ以外の構成は図１６と同様である為、説明は省略する。
【０１８９】
次に、この第８の実施形態の回路動作について説明する。
【０１９０】
まず、インバータ回路及び放電灯がフィラメント予熱から点灯に至るまでの過程は、上記第７の実施形態と同様であり、説明は省略する。
【０１９１】
次に、調光についてであるが、調光信号処理部は、外部からの調光信号を受けて、調光信号のオンデューティの比率で示される調光レベルに応じた電圧信号を発振制御部へ出力する。発振制御部は、調光信号処理部の電圧信号に応じて所定の発振周波数の駆動用信号を駆動回路に出力し、駆動回路から当該周波数の駆動信号を出力してＳＷ１、ＳＷ２を駆動するようになっている。一般的には、発振周波数を高くするほど、低光束に調光することができる。
【０１９２】
次に、第２のフィラメント接続検出回路であるが、ここで特筆すべきは放電灯が点灯中での点▲１▼〜点▲４▼電圧は直流電源ＶＳからの直流電圧のみが発生しているのではなく、放電灯の管電圧つまりはランプ電圧に起因した高周波の交流電圧が直流電圧に重畳された電圧が発生している、ということである。各直流導通素子のＲ１２，Ｒ２２，Ｒ３２，Ｒ４２と並列にコンデンサＣ１１，Ｃ２１，Ｃ３１，Ｃ４１を接続しているのは、そのＡＣ重畳のＤＣ電圧を平滑するためのものである。
【０１９３】
ところで、放電灯のインピーダンスはよく抵抗として表されるが、その特性は負特性であり、放電電流が減少するほど放電灯両端の管電圧は上昇する。従って放電灯の点灯出力が可変な調光機能を有した放電灯点灯装置において点灯出力を、低出力にした場合には、当然のことながら、放電灯両端の管電圧は上昇するものである。
【０１９４】
そして、つまりは、第２のフィラメント接続検出回路内の点▲１▼〜▲４▼電圧も純粋な直流電圧成分としては変化がないものの、調光の度合いに応じて高周波電圧成分が変化する為に、そのトータルとしての点▲１▼’〜▲４▼’電圧出力も変化する可能性がある。
【０１９５】
調光の度合いに応じて、点▲１▼’〜▲４▼’電圧出力が変化することの懸念としては、点▲１▼’〜▲４▼’電圧出力の変化度合いと、ＣＯＭＰ１〜４のしきい値Ｖｒｅｆ１〜４との大小の兼ね合いである。つまり、点▲１▼’〜▲４▼’電圧出力の変化があまりに大きく（この変化度合いは調光度合いと放電灯特有の特性に因る）、放電灯が正常に接続されているにも関わらず、Ｖｒｅｆを下回って”放電灯が接続されていない”と判断するとか、逆に点灯中にフィラメント端子が接触不良になったにも関わらず、点▲１▼’〜▲４▼’電圧がＶｒｅｆを下回ることはなく、”放電灯は正常に接続されている”と認識してしまうなどといった検出誤動作が発生する場合がある。
【０１９６】
これを改善する手段として、本実施形態では調光信号に基づき、Ｖｒｅｆ１〜４の値を可変にするＶｒｅｆ可変手段を設けた。これにより、放電灯の調光時の特性に応じたＶｒｅｆの設定が可能となり、上記のような検出誤動作を回避することが可能となり、第２のフィラメント接続検出回路の検出精度を向上させることができるようになった。（請求項１５）
なお、本実施形態では、調光信号からＶｒｅｆを可変に制御するようにしたが、それは一例であり、例えば、調光手段がインバータの周波数制御による場合ではその動作周波数をモニタするようにしても良いし、直流電源ＶＳの電圧変化による調光制御の場合は電源電圧をモニタするようにしても良いものである。
【０１９７】
（第９の実施形態）
この第９の実施形態は、請求項１６に対応しているものであり、第２のフィラメント接続検出回路の検出しきい値はＶＤＣに応じて可変するものである。本実施形態は、直流電源ＶＳの電圧値変化に対して、第２のフィラメント接続検出回路の検出精度を向上させる手段について述べるものである。
【０１９８】
そして、本発明の第９の実施形態の回路図を図１９に示す。
【０１９９】
まず、この第９の実施形態の回路構成を説明する。
【０２００】
上記第８の実施形態で述べた図１８の回路図との相違は、以下の通りである。
【０２０１】
・インバータ回路のスイッチング素子ＳＷ１，ＳＷ２を高周波でＯＮ／ＯＦＦ駆動動作させる制御回路として、調光信号処理部を削除した。
【０２０２】
・第２のフィラメント接続検出回路では、直流電源ＶＳの電圧を検出する直流電源電圧検出部を追加し、Ｖｒｅｆ可変手段は前記直流電源電圧検出部からの信号を受けてＣＯＭＰ１〜４の−（マイナス）端子に入力される検出しきい値Ｖｒｅｆ１〜Ｖｒｅｆ４が可変となるようにした。
【０２０３】
以上が図１８との相違点であり、それ以外の構成は図１８と同様である為、説明は省略する。
【０２０４】
次に、この第９の実施形態の回路動作について説明する。
【０２０５】
まず、インバータ回路及び放電灯がフィラメント予熱から点灯に至るまでの過程は、上記第７の実施形態と同様であり、説明は省略する。
【０２０６】
次に、第２のフィラメント接続検出回路についてであるが、点▲１▼’〜▲４▼’電圧は、直流電源電圧ＶＳからの直流電圧がその主成分として出力されている為、当然のことながら、直流電源電圧値が変化すると、点▲１▼’〜▲４▼’電圧も変化することになる。ＶＳが変化する原因としては、直流電源を構成する部品バラツキや、図１９には示してはいないが、直流電源が商用電源からＡＣ−ＤＣ変換で生成されている場合において、商用電源自身が変動する場合などがある。
【０２０７】
上記第８の実施形態でも述べたように、点▲１▼’〜▲４▼’電圧がフィラメント端子の接続有無以外で変化することは、検出回路としての検出精度を悪化させることとなる為、これを改善する方法として、直流電源電圧の変化に応じて、検出しきい値Ｖｒｅｆ１〜４も変化させることが望ましい。
【０２０８】
そこで、本実施形態では、直流電源ＶＳの変化を検出する直流電源電圧検出部を設け、ＶＳの変化をＶｒｅｆ可変手段に伝達し、ＶＳの変化に応じてＶｒｅｆ１〜４の値が可変となる手段を付加した。
【０２０９】
これにより、直流電源電圧の変化に応じたＶｒｅｆの設定が可能となり、第２のフィラメント接続検出回路の検出精度を向上させることが可能となる。（請求項１６）
（第１０の実施形態）
この第１０の実施形態は、請求項１７に対応しているものであり、第２のフィラメント接続検出回路の検出しきい値は周囲温度に応じて可変するものである。本実施形態は、放電灯の周囲温度に対して、第２のフィラメント接続検出回路の検出精度を向上させる手段について述べるものである。
【０２１０】
そして、本発明の第１０の実施形態の回路図を図２０に示す。
【０２１１】
まず、この第１０の実施形態の回路構成を説明する。
【０２１２】
上記第８の実施形態で述べた図１８の回路図との相違は、以下の通りである。
【０２１３】
・インバータ回路のスイッチング素子ＳＷ１，ＳＷ２を高周波でＯＮ／ＯＦＦ駆動動作させる制御回路として、調光信号処理部を削除した。
【０２１４】
・第２のフィラメント接続検出回路では、放電灯の周囲温度を検出する温度センサ及び周囲温度検出部を追加し、Ｖｒｅｆ可変手段は前記周囲温度検出部からの信号を受けてＣＯＭＰ１〜４の−（マイナス）端子に入力される検出しきい値Ｖｒｅｆ１〜Ｖｒｅｆ４が可変となるようにした。
【０２１５】
以上が図１８との相違点であり、それ以外の構成は図１８と同様である為、説明は省略する。
【０２１６】
次に、この第１０の実施形態の回路動作について説明する。
【０２１７】
まず、インバータ回路及び放電灯がフィラメント予熱から点灯に至るまでの過程は、上記第７の実施形態と同様であり、説明は省略する。
【０２１８】
次に、第２のフィラメント接続検出回路についてであるが、上記第８の実施形態でも述べたように、点灯中での点▲１▼〜点▲４▼電圧は直流電源ＶＳからの直流電圧のみが発生しているのではなく、放電灯の管電圧、つまりは、ランプ電圧に起因した高周波の交流電圧が直流電圧に重畳された電圧が発生しているため、その高周波の交流電圧が変化すると、当然のことながら、点▲１▼’〜点▲４▼’電圧も変化してしまう。
【０２１９】
ところで、放電灯両端の管電圧が変化するのは、上記第８の実施形態で述べた調光時だけではなく、放電灯の管壁温度、つまりは、放電灯の周囲温度によっても放電特性が変化することは周知のことである。従って、放電灯が点灯する温度環境に因っては、点▲１▼’〜▲４▼’電圧出力も変化する可能性があり、しいては、第２のフィラメント接続検出回路の検出精度を悪化させることとなる為、これを改善する方法として、放電灯の周囲温度変化に応じて、検出しきい値Ｖｒｅｆ１〜４も変化させることが望ましいものである。
【０２２０】
そこで、本実施形態では、放電灯の周囲温度の変化を検出する温度センサ及び周囲温度検出部を設け、放電灯周囲温度の変化をＶｒｅｆ可変手段に伝達し、周囲温度の変化に応じて、Ｖｒｅｆ１〜４の値が可変となる手段を付加したものである。
【０２２１】
これにより、放電灯の周囲温度による放電灯特性の変化に応じたＶｒｅｆの設定が可能となり、第２のフィラメント接続検出回路の検出精度を向上させることが可能となる。（請求項１７）
なお、本実施形態では、放電灯の周囲温度を検知する必要がある為、温度センサを放電灯近傍に設置する必要があるが、例えば、放電灯点灯装置の周囲温度あるいは放電灯点灯装置内の部品温度で放電灯の周囲温度と相関がとれる場合には、放電灯点灯装置の周囲温度あるいは放電灯点灯装置内の部品温度を検知するようにしても全く支障はないものである。
【０２２２】
（第１１の実施形態）
この第１１の実施形態は、請求項１８に対応しているものであり、第２のフィラメント接続検出回路の検出しきい値は演算処理にて決定するものである。本実施形態は、第２のフィラメント接続検出回路において、請求項１０記載のように直流導通素子の検出出力を各々の検出手段で検出するのではなく、各検出出力値をアナログ値として認識し、検出出力同士の相対的関係からフィラメント端子の接続有無を検出する方法について述べる。その一例として、マイコンを用いて各検出出力値を演算処理して検出する方法について述べるものである。
【０２２３】
そして、本発明の第１１の実施形態の回路図を図２１に示す。
【０２２４】
まず、この第１１の実施形態の回路構成を説明する。
【０２２５】
第２のフィラメント接続検出回路において、請求項１０記載のように直流導通素子の検出出力を各々の検出手段で検出するのではなく、各検出出力値をアナログ値として認識し、検出出力同士の相対的関係からフィラメント端子の接続有無を検出する方法について述べる。その一例としてマイコンを用いて各検出出力値を演算処理して検出する方法について述べるものである。
【０２２６】
上記第８の実施形態で述べた図１８の回路図との相違は、以下の通りである。
【０２２７】
・インバータ回路のスイッチング素子ＳＷ１，ＳＷ２を高周波でＯＮ／ＯＦＦ駆動動作させる制御回路として、調光信号処理部を削除した。
【０２２８】
・第２のフィラメント接続検出回路では、コンパレータＣＯＭＰ１〜４を削除し、代わりに点▲１▼’〜▲４▼’出力をそれぞれマイコンに入力させる。またマイコンからの出力は第２のフィラメント接続検出部に接続される。
【０２２９】
以上が図１８との相違点であり、それ以外の構成は図１８と同様である為、説明は省略する。
【０２３０】
次に、この第１１の実施形態の回路動作について説明する。
【０２３１】
まず、インバータ回路及び放電灯がフィラメント予熱から点灯に至るまでの過程は、上記第７の実施形態と同様であり、説明は省略する。
【０２３２】
次に、第２のフィラメント接続検出回路についてであるが、直流導通素子の検出出力である点▲１▼’〜▲４▼’電圧はそれぞれＳ１〜Ｓ４としてアナログ値でマイコンに入力される。マイコンでは、Ｓ１〜Ｓ４のアナログ値を演算により処理し、フィラメント端子の接続有無を判断する。マイコンでの演算処理方法としては、何通りかの方法があるかと思うが、ここでは、以下に２つの方法について述べる。
【０２３３】
［演算処理方法〜その１〜］
Ｓ１〜Ｓ４の平均値Ｓ（ＡＶＥ）を計算し、そのＳ（ＡＶＥ）値からある所定の値を減算した値を検出しきい値Ｖｒｅｆとする。Ｓ１〜Ｓ４が全てＶｒｅｆ値以上の場合は”放電灯は正常に接続されている”と判断し、Ｓ１〜Ｓ４の内、少なくとも１つがＶｒｅｆ以下の場合には”放電灯は正常に接続されていない”と判断するというものである。
【０２３４】
例えば、上記表２にて、正常接続状態の点灯時には点▲１▼’〜▲４▼’電圧はともに８７．５Ｖなので
・Ｓ１＝Ｓ２＝Ｓ３＝Ｓ４＝８７．５
・Ｓ（ＡＶＥ）＝８７．５
・Ｖｒｅｆ＝Ｓ（ＡＶＥ）−３０＝５７．５　←３０という値は所定値であり、任意に設定して良い。
【０２３５】
ここで、例えば、点灯中にフィラメント端子Ｂが接触不良になった場合、
・Ｓ１＝Ｓ２＝Ｓ３＝９６．５　＞　５７．５（Ｖｒｅｆ）
・Ｓ４＝３８．６　＜　５７．５（Ｖｒｅｆ）
となり、Ｓ４がＶｒｅｆを下回ったことでマイコンは”放電灯は正常に接続されていない”と判断する。
【０２３６】
［演算処理方法〜その２〜］
Ｓ１〜Ｓ４から最大値（＝Ｓ（ＭＡＸ））と最小値（＝Ｓ（ＭＩＮ））を抽出し、Ｓ（ＭＡＸ）とＳ（ＭＩＮ）との差（Ｓ（ＣＯＭＰ））がある所定値（Ｖｒｅｆ）以下の場合は”放電灯は正常に接続されている”と判断し、Ｓ（ＭＡＸ）とＳ（ＭＩＮ）との差（Ｓ（ＣＯＭＰ））がある所定値（Ｖｒｅｆ）以上の場合は”放電灯は正常に接続されていない”と判断するというものである。
【０２３７】
例えば、上記表２にて、正常接続状態の点灯時には点▲１▼’〜▲４▼’電圧はともに８７．５Ｖなので
・Ｓ１＝Ｓ２＝Ｓ３＝Ｓ４＝８７．５
・Ｓ（ＭＡＸ）＝８７．５、Ｓ（ＭＩＮ）＝８７．５
・Ｓ（ＣＯＭＰ）＝Ｓ（ＭＡＸ）−Ｓ（ＭＩＮ）＝０，Ｖｒｅｆ＝１０　←１０という値は所定値であり任意に設定。
【０２３８】
ここで、例えば、点灯中にフィラメント端子Ｂが接触不良になった場合、
・Ｓ（ＣＯＭＰ）＝Ｓ（ＭＡＸ）−Ｓ（ＭＩＮ）＝９６．５−３８．６＝５７．９　＞　１０．０（Ｖｒｅｆ）
となり、Ｓ（ＣＯＭＰ）がＶｒｅｆを上回ったことでマイコンは”放電灯は正常に接続されていない”と判断する。
【０２３９】
以上は、第２のフィラメント接続検出回路の検出方法の一例を示したものである。
【０２４０】
（第１２の実施形態）
この第１２の実施形態は、請求項１６に対応しているものである。本実施形態は、第２のフィラメント接続検出回路における検出出力処理方法の一例について述べるものである。
【０２４１】
そして、本発明の第１２の実施形態の回路図を図２２に示す。
【０２４２】
まず、この第１２の実施形態の回路構成を説明する。
【０２４３】
上記第８の実施形態で述べた図１８の回路図との相違は、以下の通りである。
【０２４４】
・インバータ回路のスイッチング素子ＳＷ１，ＳＷ２を高周波でＯＮ／ＯＦＦ駆動動作させる制御回路として、調光信号処理部を削除した。
【０２４５】
・第２のフィラメント接続検出回路では、まず抵抗Ｒ１とフィラメント端子Ｅとの接続点と直流電源ＶＳの負極側との間に抵抗Ｒ６とＲ７の直列回路を接続し、Ｒ６とＲ７との接続点がＣＯＭＰ１〜４の−（マイナス）端子に接続されている。次にＣＯＭＰ１〜４の出力を全て接続してダイオードＤ１００のカソード側に接続する。一方ＣＯＭＰ１〜４出力信号の処理回路として以下の回路を追加する。まず本実施例で述べる放電灯点灯装置内に定電圧源Ｖｃｃを設ける。このＶｃｃは、主に、インバータ回路の制御回路の電源用として使用する為のものであり、電圧値は数Ｖ〜２０Ｖ程度の低電圧の定電圧源である。そのＶｃｃと回路グランドとの間に、抵抗Ｒ１００、ダイオードＤ１０１、Ｒ１０１の直列回路を接続しＲ１０１両端にはコンデンサＣ１００を接続する。また、更にＶｃｃと回路グランドとの間にＲ１０２とトランジスタＱ３の直列回路を接続し、Ｑ３のベース端子にはＲ１０１とＤ１０１との接続点に接続する。そしてＲ１０２とＱ３との接続点は第２のフィラメント接続検出部に接続されている。
【０２４６】
以上が図１８との相違点であり、それ以外の構成は図１８と同様である為、説明は省略する。
【０２４７】
次に、この第１２の実施形態の回路動作について説明する。
【０２４８】
まず、インバータ回路及び放電灯がフィラメント予熱から点灯に至るまでの過程は上記第７の実施形態と同様であり、説明は省略する。
【０２４９】
次に、第２のフィラメント接続検出回路についてであるが、まず、検出しきい値として直流電源ＶＳの電圧値を反映したＲ７両端電圧を設定したことにより、直流電源ＶＳの変動等による検出精度の悪化が改善されている。なお、この内容は、上記第９の実施形態で述べた内容の一例である。
【０２５０】
次に、第２のフィラメント接続検出回路の検出動作について、上記第７の実施形態と同様に、［１］点灯時、［２］点灯時以外に分けて上記表２を用いて説明する。なお、これも上記第７の実施形態と同様に、説明を容易にする為に、上記表２の点▲１▼〜▲４▼電圧は検出出力である点▲１▼’〜▲４▼’電圧と読み替えて説明することにする。
［１］点灯時
まず、放電灯が正常に接続されている場合、点灯中の点▲１▼’〜▲４▼’電圧は上記表２より８７．５Ｖである。
【０２５１】
そして、例えば、フィラメント端子Ｅが点灯中に接触不良となった場合、上記表２より点▲２▼’〜▲４▼’電圧は９６．５Ｖと微増するのに対し、点▲１▼’電圧は３８．６Ｖに大幅低下する。ここで、コンパレータＣＯＭＰ１のしきい値電圧Ｖｒｅｆの設定としては、上記８７．５Ｖと３８．６Ｖとの間の電圧に設定しておく。これにより、放電灯が正常接続されている場合には、ＣＯＭＰ１出力を含めた全てのＣＯＭＰ出力は”Ｈｉｇｈ”レベル出力を出力し、フィラメント端子Ｅが点灯中に接触不良となった場合には、ＣＯＭＰ１出力のみが”Ｌｏｗ”レベルを出力する。但し、本実施形態でのＣＯＭＰ１〜４はオープンコレクタ方式の出力となっている為、ＣＯＭＰ１〜４の少なくとも１つが”Ｌｏｗ”レベル出力である場合は、ＣＯＭＰ１〜４のトータルとしての出力は”Ｌｏｗ”レベル出力となる。
【０２５２】
ここで、ＣＯＭＰ１〜４全てが”Ｈｉｇｈ”レベル出力の場合、つまりは、放電灯が正常に接続されている場合には、Ｄ１００はＯＮ動作しない為、Ｒ１０１両端にはＶｃｃをＲ１００とＲ１０１で分圧した電圧が発生する。従って、Ｑ３がＯＮする為、第２のフィラメント接続検出部に接続されたＱ３のコレクタ−ベース間電圧（ＶＱ３ｃｂ）は回路グランドと同電位となり、”Ｌｏｗ”レベル出力となる。なお、本実施形態では、ＶＱ３ｃｂが”Ｌｏｗ”レベル出力の場合は”放電灯が正常に接続されている”と認識し、”Ｈｉｇｈ”レベル出力の場合は”放電灯は正常に接続されていない”と判断するように設定されている。（今までの実施形態の内容とは逆である。）
そして、上記のようにフィラメント端子Ｅが点灯中に接触不良となった場合にはＣＯＭＰ１出力が”Ｌｏｗ”レベルを出力する。この場合は、Ｄ１００のカソード側が”Ｌｏｗ”レベルとなる為、Ｄ１００がＯＮし、Ｄ１００のアノード側も”Ｌｏｗ”レベルとなる為、Ｒ１０１両端電圧は、殆ど回路グランド電位に等しくなる。従って、Ｑ３はＯＦＦし、Ｑ３のコレクタ−ベース間電圧（ＶＱ３ｃｂ）はＶｃｃとなる為、第２のフィラメント接続検出部への出力としては”Ｈｉｇｈ”レベル出力となる。
【０２５３】
これにより、第２のフィラメント接続検出回路は”放電灯は正常に接続されていない”と判断する。
【０２５４】
なお、点灯中に接触不良となるフィラメント端子がフィラメント端子Ｅ以外の場合でも、点▲１▼’電圧の代わりに点▲２▼’〜▲４▼’電圧のどれかが上記と同様の動作をすることも容易に判るものである。
［１］点灯時以外（発振停止時、予熱時、始動時）
上記表２の放電灯正常接続状態で予熱時、つまり放電灯が点灯していない場合の点▲１▼’〜▲４▼’電圧をみると、点▲１▼’電圧＝１６０．５Ｖ、点▲２▼’電圧＝１０．７Ｖ、点▲３▼’電圧＝点▲４▼’電圧＝３４．２Ｖとなっている。この場合ＣＯＭＰ１〜４各々の出力としては、
・ＣＯＭＰ１　：　”ＨＩｇｈ”レベル出力
・ＣＯＭＰ２　：　”Ｌｏｗ”レベル出力
・ＣＯＭＰ３　：　”Ｌｏｗ”レベル出力
・ＣＯＭＰ４　：　”Ｌｏｗ”レベル出力
そして、ＣＯＭＰ１〜４のトータルとしての出力は”Ｌｏｗ”レベル出力となる。この場合、Ｄ１００のカソード側が”Ｌｏｗ”レベルとなる為、Ｄ１００がＯＮし、Ｄ１００のアノード側も”Ｌｏｗ”レベルとなる為、Ｒ１０１両端電圧は殆ど回路グランド電位に等しくなる。従ってＱ３はＯＦＦし、Ｑ３のコレクタ−ベース間電圧（ＶＱ３ｃｂ）はＶｃｃとなる為、第２のフィラメント接続検出部への出力としては”Ｈｉｇｈ”レベル出力となる。
【０２５５】
これにより、第２のフィラメント接続検出回路は”放電灯は正常に接続されていない”と誤った判断してしまうことになる。
【０２５６】
従って、本実施形態でもこの誤動作を回避する手段として、第２のフィラメント接続検出回路の検出信号を必要なタイミングで無効にすることができる検出マスク手段を設けている。
【０２５７】
以上、本実施形態においては、第２のフィラメント接続検出回路における検出出力処理方法の一例について示した。
【０２５８】
【発明の効果】
本発明の請求項１に係る放電灯点灯装置によると、放電灯が点灯している、または、していないに関わらず、全てのフィラメント端子の接続不良の検出ができて、しかも、安価で簡単な構成の放電灯点灯装置を提供することができるものである。
【０２５９】
本発明の請求項２ないし請求項１８に係る放電灯点灯装置によると、請求項１記載の場合に加えて、放電灯が点灯している、または、していないに関わらず、全てのフィラメント端子の接続不良の検出がより一層確実にできて、しかも、より一層安価で簡単な構成の放電灯点灯装置を提供することができるものである。
【図面の簡単な説明】
【図１】本発明の放電灯点灯装置に係る第１の実施形態の回路図である。
【図２】図１の回路図における直流電源回路例である。
【図３】図１の回路図におけるインバータ負荷回路の共振カーブである。
【図４】図１の回路図における放電灯周りの等価回路である。
【図５】図１の回路図における図４とは別の放電灯周りの等価回路である。
【図６】図１の回路図におけるフィラメント外れ時の等価回路である。
【図７】図１の回路図における図６とは別のフィラメント外れ時の等価回路である。
【図８】図１の回路図における図６および図７とは別のフィラメント外れ時の等価回路である。
【図９】図１の回路図における図６ないし図８とは別のフィラメント外れ時の等価回路である。
【図１０】図１の回路図における図６ないし図９とは別のフィラメント外れ時の等価回路である。
【図１１】本発明の放電灯点灯装置に係る第２の実施形態の回路図である。
【図１２】本発明の放電灯点灯装置に係る第３の実施形態の回路図である。
【図１３】本発明の放電灯点灯装置に係る第４の実施形態の回路図である。
【図１４】本発明の放電灯点灯装置に係る第５の実施形態の回路図である。
【図１５】本発明の放電灯点灯装置に係る第６の実施形態の回路図である。
【図１６】本発明の放電灯点灯装置に係る第７の実施形態の回路図である。
【図１７】本発明の放電灯点灯装置に係る直流電源の電源投入から予熱〜点灯及びフィラメント端子接触不良時の各部信号のタイムチャートである。
【図１８】本発明の放電灯点灯装置に係る第８の実施形態の回路図である。
【図１９】本発明の放電灯点灯装置に係る第９の実施形態の回路図である。
【図２０】本発明の放電灯点灯装置に係る第１０の実施形態の回路図である。
【図２１】本発明の放電灯点灯装置に係る第１１の実施形態の回路図である。
【図２２】本発明の放電灯点灯装置に係る第１２の実施形態の回路図である。
【図２３】一従来例に係る回路図である。
【図２４】他の一従来例に係る回路図である。
【符号の説明】
ＶＳ　　直流電源
ＳＷ１　スイッチング素子
ＳＷ２　スイッチング素子
【図１】
2004039596.tif 000008
【図２】
2004039596.tif 000009
【図３】
2004039596.tif 000010
【図４】
2004039596.tif 000011
【図５】
2004039596.tif 000012
【図６】
2004039596.tif 000013
【図７】
2004039596.tif 000014
【図８】
2004039596.tif 000015
【図９】
2004039596.tif 000016
【図１０】
2004039596.tif 000017
【図１１】
2004039596.tif 000018
【図１２】
2004039596.tif 000019
【図１３】
2004039596.tif 000020
【図１４】
2004039596.tif 000021
【図１５】
2004039596.tif 000022
【図１６】
2004039596.tif 000023
【図１７】
2004039596.tif 000024
【図１８】
2004039596.tif 000025
【図１９】
2004039596.tif 000026
【図２０】
2004039596.tif 000027
【図２１】
2004039596.tif 000028
【図２２】
2004039596.tif 000029
【図２３】
2004039596.tif 000030
【図２４】
2004039596.tif 000031